(57)【要約】  協調スケジューリング方法、装置およびシステムを提供する。方法は、マクロ基地局が送信した第1の協調活性化リクエストを受信するステップであって、第1の協調活性化リクエストは、スモールセルが管理する第1のセルに、マクロ基地局と共に、協調端末をPDCCH上に協調スケジューリングするように指示する、ステップと、マクロ基地局が送信した第2の協調活性化リクエストに従って協調端末が第1のセルのPDCCH上で制御メッセージを受信するように、第1の協調活性化リクエストに従って、第1のセルのPDCCH上で制御メッセージを送信するステップであって、第2の協調活性化リクエストは、協調端末に、第1のセルとマクロ基地局とによって行われた協調スケジューリングをPDCCH上で受け入れるように指示し、第1のセルの物理セル識別子（PCI）を含む、ステップとを含む。本発明は、低い協調スケジューリング効率の問題を解決し、協調スケジューリング効率を向上させる。
2018532346.tif 000002
【特許請求の範囲】
【請求項１】
協調スケジューリング方法であって、前記方法は、スモールセルに適用され、
マクロ基地局によって送信された第1の協調活性化リクエストを受信するステップであって、前記第1の協調活性化リクエストは、前記スモールセルによって管理される第1のセルに、前記マクロ基地局と共に、協調端末を物理ダウンリンク制御チャネル（PDCCH）上に協調スケジューリングするように指示するために使用され、前記協調端末は、前記マクロ基地局または前記スモールセルによって決定され、協調スケジューリングされることが可能な端末である、ステップと、
前記マクロ基地局によって送信された第2の協調活性化リクエストに従って前記協調端末が前記第1のセルのPDCCH上で制御メッセージを受信するように、前記第1の協調活性化リクエストに従って、前記第1のセルの前記PDCCH上で前記制御メッセージを送信するステップであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルの物理セル識別子（PCI）を含む、ステップと
を含む、方法。
【請求項２】
前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCH、PDSCH、および物理アップリンク共有チャネル（PUSCH）上に協調スケジューリングするように指示するために使用され、前記制御メッセージは、前記第1のセルに、前記マクロ基地局と共に、前記協調端末を前記PDSCH上に協調スケジューリングするように指示するために使用され、
マクロ基地局によって送信された第1の協調活性化リクエストを受信する前記ステップの後に、前記方法は、
前記制御メッセージに従って前記協調端末が前記第1のセルのPDSCH上でダウンリンクデータメッセージを受信するように、前記第1の協調活性化リクエストに従って、前記第1のセルの前記PDSCH上で前記協調端末に前記ダウンリンクデータメッセージを送信するステップ
をさらに含む、請求項1に記載の方法。
【請求項３】
前記第1の協調活性化リクエストは、前記第1のセルに、前記マクロ基地局と共に、前記協調端末を前記PDCCHおよびPUSCH上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用され、前記制御メッセージは、前記第1のセルに、前記マクロ基地局と共に、前記協調端末を前記PUSCH上に協調スケジューリングするように指示するために使用され、
前記第1のセルの前記PDCCH上で前記制御メッセージを送信する前記ステップの後に、前記方法は、
前記第1の協調活性化リクエストに従って、前記第1のセルのPUSCH上で、前記協調端末によって送信されたアップリンクデータメッセージを受信するステップであって、前記アップリンクデータメッセージは、前記制御メッセージに従って前記協調端末によって送信される、ステップ
をさらに含む、請求項1に記載の方法。
【請求項４】
マクロ基地局によって送信された第1の協調活性化リクエストを受信する前記ステップの前に、前記方法は、
前記第1のセルが活性化された後、前記セル設定パラメータを前記マクロ基地局に報告するステップであって、前記セル設定パラメータは、前記物理セル識別子（PCI）を含む、ステップ
をさらに含む、請求項1から3のいずれか一項に記載の方法。
【請求項５】
前記第1の協調活性化リクエストは、前記協調端末の識別子を含み、前記第1の協調活性化リクエストに従って、前記第1のセルの前記PDCCH上で前記制御メッセージを送信する前記ステップの前に、前記方法は、
前記第1の協調活性化リクエストに従って、前記制御メッセージを生成するステップであって、前記制御メッセージは、前記協調端末の前記識別子を含む、ステップ
をさらに含む、請求項1に記載の方法。
【請求項６】
前記アップリンクデータメッセージは、前記協調端末によって測定されたチャネルパラメータを含み、前記第1の協調活性化リクエストに従って、前記第1のセルの前記PDCCH上で前記制御メッセージを送信する前記ステップの後に、前記方法は、
前記チャネルパラメータに従って、前記協調端末が協調ステートを維持することができるかどうかを判定するステップと、
前記協調端末が前記協調ステートを維持することができないとき、第1の非活性化通知を前記マクロ基地局に送信するステップであって、前記第1の非活性化通知は、前記マクロ基地局に、協調スケジューリングを停止するように指示するために使用される、ステップと、
非活性化通知を前記協調端末に送信するステップであって、前記第2の非活性化通知は、前記協調端末に、協調スケジューリングを停止するように指示するために使用される、ステップと
をさらに含む、請求項3に記載の方法。
【請求項７】
前記第1の協調活性化リクエストは、合意された送信時間間隔（TTI）識別子を含み、
前記第1の協調活性化リクエストに従って、前記第1のセルの前記PDCCH上で前記制御メッセージを送信する前記ステップは、
前記合意されたTTI識別子によって示されたTTIにおいて、前記第1のセルの前記PDCCH上で前記制御メッセージを送信するステップ
を含む、請求項1から6のいずれか一項に記載の方法。
【請求項８】
協調スケジューリング方法であって、前記方法は、協調端末に適用され、前記協調端末は、マクロ基地局またはスモールセルによって決定され、協調スケジューリングされることが可能な端末であり、前記方法は、
前記マクロ基地局によって送信された第2の協調活性化リクエストを受信するステップであって、前記第2の協調活性化リクエストは、前記協調端末に、PDCCH上で、前記第1のセルと前記マクロ基地局とによって行われた協調スケジューリングを受け入れるように指示するために使用され、前記第1のセルは、協調スケジューリングを行う必要があり、協調ステートに入ることができる端末があると前記マクロ基地局が判定するときに決定されるセルであり、前記第2の協調活性化リクエストは、前記第1のセルのPCIを含む、ステップと、
前記第2の協調活性化リクエストに従って、前記第1のセルのPDCCH上で、前記第1のセルを管理するスモールセルによって送信された制御メッセージを受信するステップと
を含む、方法。
【請求項９】
前記第2の協調活性化リクエストに従って、前記第1のセルのPDCCH上で、前記第1のセルを管理するスモールセルによって送信された制御メッセージを受信する前記ステップは、
前記PCIに従って、前記スモールセルの送信周波数チャネル番号、前記第1のセルのセル帯域幅、および前記第1のセルのPDCCHシンボル数を取得するステップと、
前記送信周波数チャネル番号、前記セル帯域幅、および前記PDCCHシンボル数に従って、前記第1のセルのPDCCHロケーションを決定するステップと、
前記第1のセルの前記PDCCHロケーションにおいて、前記第1のセルを管理する前記スモールセルによって送信された前記制御メッセージを受信するステップと
を含む、請求項8に記載の方法。
【請求項１０】
前記PCIに従って、前記スモールセルの送信周波数チャネル番号、前記第1のセルのセル帯域幅、および前記第1のセルのPDCCHシンボル数を取得する前記ステップは、
予め設定された送信周波数チャネル番号を取得するステップと、
前記第1のセルの前記セル帯域幅として、前記PCIに対応するセルの測定されたセル帯域幅を使用するステップと、
前記第1のセルの前記PDCCHシンボル数として、前記PCIに対応する前記セルのものであり、前記PCIに対応する前記セルの物理制御フォーマット指示チャネル（PCFICH）上で測定された、PDCCHシンボル数を使用するステップと
を含む、請求項9に記載の方法。
【請求項１１】
前記第2の協調活性化リクエストは、合意された送信時間間隔（TTI）識別子を含み、
前記第2の協調活性化リクエストに従って、前記第1のセルのPDCCH上で、前記第1のセルを管理するスモールセルによって送信された制御メッセージを受信する前記ステップは、
前記合意されたTTI識別子によって示されたTTIにおいて、前記第1のセルの前記PDCCH上で、前記第1のセルを管理する前記スモールセルによって送信された前記制御メッセージを受信するステップ
を含む、請求項1から10のいずれか一項に記載の方法。
【請求項１２】
協調スケジューリング方法であって、前記方法は、マクロ基地局に適用され、
協調ステートに入ることができる端末があると判定されるとき、協調スケジューリングを行う必要がある第1のセルを決定するステップと、
第1の協調活性化リクエストに従ってスモールセルが前記第1のセルのPDCCH上で制御メッセージを送信するように、前記第1のセルを管理する前記スモールセルに前記第1の協調活性化リクエストを送信するステップであって、前記第1の協調活性化リクエストは、前記スモールセルによって管理される前記第1のセルに、前記マクロ基地局と共に、協調端末をPDCCH上に協調スケジューリングするように指示するために使用され、前記協調端末は、前記マクロ基地局または前記スモールセルによって決定され、協調スケジューリングされることが可能な端末である、ステップと、
第2の協調活性化リクエストに従って協調端末が前記第1のセルの前記PDCCH上で前記制御メッセージを受信するように、前記第2の協調活性化リクエストを、協調スケジューリングされる必要がある前記協調端末に送信するステップであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルのPCIを含む、ステップと
を含む、方法。
【請求項１３】
前記第1のセルを管理する前記スモールセルに前記第1の協調活性化リクエストを送信する前記ステップの前に、前記方法は、
協調スケジューリングが行われる必要があるとき、前記第1の協調活性化リクエストを生成するステップであって、前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCHおよび物理アップリンク共有チャネル（PUSCH）上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用される、ステップ
をさらに含む、請求項12に記載の方法。
【請求項１４】
前記第1の協調活性化リクエストは、合意された送信時間間隔（TTI）識別子を含み、前記第2の協調活性化リクエストは、前記合意された送信時間間隔（TTI）識別子を含む、請求項12または13に記載の方法。
【請求項１５】
協調スケジューリング装置であって、前記装置は、スモールセルに適用され、
マクロ基地局によって送信された第1の協調活性化リクエストを受信するように構成された、第1の受信ユニットであって、前記第1の協調活性化リクエストは、前記スモールセルによって管理される第1のセルに、前記マクロ基地局と共に、協調端末を物理ダウンリンク制御チャネル（PDCCH）上に協調スケジューリングするように指示するために使用され、前記協調端末は、前記マクロ基地局または前記スモールセルによって決定され、協調スケジューリングされることが可能な端末である、第1の受信ユニットと、
前記マクロ基地局によって送信された第2の協調活性化リクエストに従って前記協調端末が前記第1のセルのPDCCH上で制御メッセージを受信するように、前記第1の協調活性化リクエストに従って、前記第1のセルの前記PDCCH上で前記制御メッセージを送信するように構成された、第1の送信ユニットであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルの物理セル識別子（PCI）を含む、第1の送信ユニットと
を備える、装置。
【請求項１６】
前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCH、PDSCH、および物理アップリンク共有チャネル（PUSCH）上に協調スケジューリングするように指示するために使用され、前記制御メッセージは、前記第1のセルに、前記マクロ基地局と共に、前記協調端末を前記PDSCH上に協調スケジューリングするように指示するために使用され、前記装置は、
前記制御メッセージに従って前記協調端末が前記第1のセルのPDSCH上でダウンリンクデータメッセージを受信するように、前記第1の協調活性化リクエストに従って、前記第1のセルの前記PDSCH上で前記協調端末に前記ダウンリンクデータメッセージを送信するように構成された、第2の送信ユニット
をさらに備える、請求項15に記載の装置。
【請求項１７】
前記第1の協調活性化リクエストは、前記第1のセルに、前記マクロ基地局と共に、前記協調端末を前記PDCCHおよびPUSCH上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用され、前記制御メッセージは、前記第1のセルに、前記マクロ基地局と共に、前記協調端末を前記PUSCH上に協調スケジューリングするように指示するために使用され、前記装置は、
前記第1の協調活性化リクエストに従って、前記第1のセルのPUSCH上で、前記協調端末によって送信されたアップリンクデータメッセージを受信するように構成された、第2の受信ユニットであって、前記アップリンクデータメッセージは、前記制御メッセージに従って前記協調端末によって送信される、第2の受信ユニット
をさらに備える、請求項15に記載の装置。
【請求項１８】
前記装置は、
前記第1のセルが活性化された後、前記セル設定パラメータを前記マクロ基地局に報告するように構成された、報告ユニットであって、前記セル設定パラメータは、前記物理セル識別子（PCI）を含む、報告ユニット
をさらに備える、請求項15から17のいずれか一項に記載の装置。
【請求項１９】
前記第1の協調活性化リクエストは、前記協調端末の識別子を含み、前記装置は、
前記第1の協調活性化リクエストに従って、前記制御メッセージを生成するように構成された、生成ユニットであって、前記制御メッセージは、前記協調端末の前記識別子を含む、生成ユニット
をさらに備える、請求項15に記載の装置。
【請求項２０】
前記アップリンクデータメッセージは、前記協調端末によって測定されたチャネルパラメータを含み、前記装置は、
前記チャネルパラメータに従って、前記協調端末が協調ステートを維持することができるかどうかを判定するように構成された、判定ユニットと、
前記協調端末が前記協調ステートを維持することができないとき、第1の非活性化通知を前記マクロ基地局に送信するように構成された、第3の送信ユニットであって、前記第1の非活性化通知は、前記マクロ基地局に、協調スケジューリングを停止するように指示するために使用される、第3の送信ユニットと、
非活性化通知を前記協調端末に送信するように構成された、第4の送信ユニットであって、前記第2の非活性化通知は、前記協調端末に、協調スケジューリングを停止するように指示するために使用される、第4の送信ユニットと
をさらに備える、請求項17に記載の装置。
【請求項２１】
前記第1の協調活性化リクエストは、合意された送信時間間隔（TTI）識別子を含み、前記第1の送信ユニットは、
前記合意されたTTI識別子によって示されたTTIにおいて、前記第1のセルの前記PDCCH上で前記制御メッセージを送信する
ように構成される、請求項15から20のいずれか一項に記載の装置。
【請求項２２】
協調スケジューリング装置であって、前記装置は、協調端末に適用され、前記協調端末は、マクロ基地局またはスモールセルによって決定され、協調スケジューリングされることが可能な端末であり、前記装置は、
前記マクロ基地局によって送信された第2の協調活性化リクエストを受信するように構成された、第1の受信ユニットであって、前記第2の協調活性化リクエストは、前記協調端末に、PDCCH上で、前記第1のセルと前記マクロ基地局とによって行われた協調スケジューリングを受け入れるように指示するために使用され、前記第1のセルは、協調スケジューリングを行う必要があり、協調ステートに入ることができる端末があると前記マクロ基地局が判定するときに決定されるセルであり、前記第2の協調活性化リクエストは、前記第1のセルのPCIを含む、第1の受信ユニットと、
前記第2の協調活性化リクエストに従って、前記第1のセルのPDCCH上で、前記第1のセルを管理するスモールセルによって送信された制御メッセージを受信するように構成された、第2の受信ユニットと
を備える、装置。
【請求項２３】
前記第2の受信ユニットは、
前記PCIに従って、前記スモールセルの送信周波数チャネル番号、前記第1のセルのセル帯域幅、および前記第1のセルのPDCCHシンボル数を取得するように構成された、取得サブユニットと、
前記送信周波数チャネル番号、前記セル帯域幅、および前記PDCCHシンボル数に従って、前記第1のセルのPDCCHロケーションを決定するように構成された、決定サブユニットと、
前記第1のセルの前記PDCCHロケーションにおいて、前記第1のセルを管理する前記スモールセルによって送信された前記制御メッセージを受信するように構成された、受信サブユニットと
を備える、請求項22に記載の装置。
【請求項２４】
前記取得サブユニットは、
予め設定された送信周波数チャネル番号を取得し、
前記第1のセルの前記セル帯域幅として、前記PCIに対応するセルの測定されたセル帯域幅を使用し、
前記第1のセルの前記PDCCHシンボル数として、前記PCIに対応する前記セルのものであり、前記PCIに対応する前記セルの物理制御フォーマット指示チャネル（PCFICH）上で測定された、PDCCHシンボル数を使用する
ように構成される、請求項23に記載の装置。
【請求項２５】
前記第2の協調活性化リクエストは、合意された送信時間間隔（TTI）識別子を含み、前記第2の受信ユニットは、
前記合意されたTTI識別子によって示されたTTIにおいて、前記第1のセルの前記PDCCH上で、前記第1のセルを管理する前記スモールセルによって送信された前記制御メッセージを受信する
ように構成される、請求項22から24のいずれか一項に記載の装置。
【請求項２６】
協調スケジューリング装置であって、前記装置は、マクロ基地局に適用され、
協調ステートに入ることができる端末があると判定するとき、協調スケジューリングを行う必要がある第1のセルを決定するように構成された、決定ユニットと、
第1の協調活性化リクエストに従ってスモールセルが前記第1のセルのPDCCH上で制御メッセージを送信するように、前記第1のセルを管理する前記スモールセルに前記第1の協調活性化リクエストを送信するように構成された、第1の送信ユニットであって、前記第1の協調活性化リクエストは、前記スモールセルによって管理される前記第1のセルに、前記マクロ基地局と共に、協調端末をPDCCH上に協調スケジューリングするように指示するために使用され、前記協調端末は、前記マクロ基地局または前記スモールセルによって決定され、協調スケジューリングされることが可能な端末である、第1の送信ユニットと、
第2の協調活性化リクエストに従って協調端末が前記第1のセルの前記PDCCH上で前記制御メッセージを受信するように、前記第2の協調活性化リクエストを、協調スケジューリングされる必要がある前記協調端末に送信するように構成された、第2の送信ユニットであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルのPCIを含む、第2の送信ユニットと
を備える、装置。
【請求項２７】
前記装置は、
協調スケジューリングが行われる必要があるとき、前記第1の協調活性化リクエストを生成するように構成された、生成ユニットであって、前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCHおよび物理アップリンク共有チャネル（PUSCH）上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用される、生成ユニット
をさらに備える、請求項26に記載の装置。
【請求項２８】
前記第1の協調活性化リクエストは、合意された送信時間間隔（TTI）識別子を含み、前記第2の協調活性化リクエストは、前記合意された送信時間間隔（TTI）識別子を含む、請求項26または27に記載の装置。
【請求項２９】
協調スケジューリングシステムであって、
マクロ基地局と、スモールセルと、協調端末とを備え、
前記スモールセルは、請求項15から21のいずれか一項に記載の協調スケジューリング装置を含み、
前記協調端末は、請求項22から25のいずれか一項に記載の協調スケジューリング装置を含み、
前記マクロ基地局は、請求項26から28のいずれか一項に記載の協調スケジューリング装置を含む、
システム。
【発明の詳細な説明】
【技術分野】
【０００１】
本発明は、通信分野に関し、詳細には、協調スケジューリング方法、装置およびシステムに関する。
【背景技術】
【０００２】
インテリジェント端末の流行に伴い、サービスはモバイルブロードバンド（英語：Mobile Broadband、略してMBB）の活発な発展を促し、ネットワークトラフィックが爆発的に増加している。現在、ヘテロジニアスネットワーク（英語：heterogeneous network、略してHetNet）は、マクロ基地局とスモールセルを含み得る。マクロ基地局の容量を拡大することができないとき、スモールセルを使用してネットワーク容量を増加させ得る。ヘテロジニアスネットワークにおけるロングタームエボリューション（英語：Long Term Evolution、略してLTE）ネットワークについて、マクロ基地局およびスモールセル用のネットワーク配置は、イントラ周波数配置によって行い得る。イントラ周波数配置とは、マクロ基地局とスモールセルとが同じ送信周波数チャネル番号を使用することを意味する。周波数チャネル番号は、周波数の番号である。各周波数チャネル番号（整数の精度）は、1つの周波数値（0.1MHzの精度）に対応している。イントラ周波数配置においてマクロ基地局とスモールセルとの間の干渉を制御するため、マクロ基地局とスモールセルとの間で協調解を使用する必要がある。マクロ基地局とスモールセルは、ネットワーク容量をさらに増加させ、ユーザエクスペリエンスを向上させるために、密接に協調し得る。
【０００３】
一関連技術では、マクロ基地局は、相対的に高い送信電力と相対的に広いカバレッジエリアを有し、スモールセルは、相対的に低い送信電力を有し、主にホットスポットをカバーするために使用され、マクロ基地局は通常、スモールセルよりもはるかに多くの端末をカバーし、スモールセルよりも負荷が重い。したがって、マクロ基地局とスモールセルとの既存の協調解では、基本的に、マクロ基地局によってサービスを提供される端末は、マクロ基地局が負荷を軽減し、全体のネットワーク容量を増加させるのを助けるため、マクロ基地局とスモールセルによって協調スケジューリングされる。協調スケジューリングとは、マクロ基地局とスモールセルが、同じ端末についてのスケジューリング解をネゴシエーションすることを意味する。現在は、協調スケジューリングプロセスでは、マクロ基地局によってサービスを提供される端末の制御プレーンはマクロ基地局に残り、データプレーンはマクロ基地局とスモールセルによって協調スケジューリングされている。具体的には、スモールセルが、物理ダウンリンク制御チャネル（英語：Physical Downlink Control Channel、略してPDCCH）リソースを端末に割り当てる要求をマクロ基地局に送信する。マクロ基地局は、要求に従ってPDCCHリソースを端末に割り当て、割当て結果をスモールセルにフィードバックする。スモールセルは、割当て結果に従って、端末の物理ダウンリンク共有チャネル（英語：Physical Downlink Shared Channel、略してPDSCH）または物理アップリンク共有チャネル（英語：Physical Uplink Shared Channel、略してPUSCH）をスケジューリングする。
【０００４】
ただし、マクロ基地局は負荷が相対的に重く、また、マクロ基地局はPDCCHリソースが限られているため、マクロ基地局のすべてのPDCCHリソースが占有されている可能性が高い。PDCCHが割り当てられなかった端末は、スケジューリングされることができない。このことは、協調スケジューリングの成功率に影響し、その結果、協調スケジューリング効率は相対的に低い。
【発明の概要】
【課題を解決するための手段】
【０００５】
関連技術における相対的に低い協調スケジューリング効率の問題を解決するため、本発明では、協調スケジューリング方法、装置およびシステムを提供する。技術的解は次のとおりである。
【０００６】
本発明は、イントラ周波数配置プロセスにおいてマクロ基地局とスモールセルの協調スケジューリングを実施するために、HetNetネットワークに適用、具体的には、LTE HetNetネットワークに適用し得る。
【０００７】
第1の態様によれば、本発明は、協調スケジューリング方法を提供し、方法は、スモールセルに適用され、
マクロ基地局によって送信された第1の協調活性化リクエストを受信するステップであって、第1の協調活性化リクエストは、スモールセルによって管理される第1のセルに、マクロ基地局と共に、協調端末を物理ダウンリンク制御チャネル（PDCCH）上に協調スケジューリングするように指示するために使用され、協調端末は、マクロ基地局またはスモールセルによって決定され、協調スケジューリングされることが可能な端末であり、第1の協調活性化リクエストは、第1のセルを管理するスモールセルによって送信されたセル設定パラメータに従ってマクロ基地局によって生成され得、セル設定パラメータは、PCIを含み得、PCIは、セルを識別するために使用される物理層セル識別子番号であり、実際の適用では、セル設定パラメータは、別のパラメータ、例えば、セルの関連チャネルパラメータをさらに含み得る、ステップと、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するステップであって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、ステップと
を含む。
【０００８】
随意に、本発明の一実施形態では、第1の協調活性化リクエストは、複数のシナリオに従って生成され得る。第1の協調活性化リクエストは、異なるシナリオでは協調スケジューリング用に異なるチャネルを示す。第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCH、PDSCH、および物理アップリンク共有チャネル（PUSCH）上に協調スケジューリングするように指示するために使用され、制御メッセージは、第1のセルに、マクロ基地局と共に、協調端末をPDSCH上に協調スケジューリングするように指示するために使用される。マクロ基地局によって送信された第1の協調活性化リクエストを受信するステップの後に、方法は、
制御メッセージに従って協調端末が第1のセルのPDSCH上でダウンリンクデータメッセージを受信するように、第1の協調活性化リクエストに従って、第1のセルのPDSCH上で協調端末にダウンリンクデータメッセージを送信するステップ
をさらに含む。
【０００９】
随意に、第1の協調活性化リクエストは、第1のセルに、マクロ基地局と共に、協調端末をPDCCHおよびPUSCH上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用され、制御メッセージは、第1のセルに、マクロ基地局と共に、協調端末をPUSCH上に協調スケジューリングするように指示するために使用され、
第1のセルのPDCCH上で制御メッセージを送信するステップの後に、方法は、
第1の協調活性化リクエストに従って、第1のセルのPUSCH上で、協調端末によって送信されたアップリンクデータメッセージを受信するステップであって、アップリンクデータメッセージは、制御メッセージに従って協調端末によって送信される、ステップ
をさらに含む。
【００１０】
随意に、マクロ基地局によって送信された第1の協調活性化リクエストを受信するステップの前に、方法は、
第1のセルが活性化された後、セル設定パラメータをマクロ基地局に報告するステップであって、セル設定パラメータは、物理セル識別子（PCI）を含む、ステップ
をさらに含む。
【００１１】
随意に、第1の協調活性化リクエストは、協調端末の識別子を含み、第1の協調活性化リクエストに従って、第1のセルのPDCCH上で制御メッセージを送信するステップの前に、方法は、
第1の協調活性化リクエストに従って、制御メッセージを生成するステップであって、制御メッセージは、協調端末の識別子を含む、ステップ
をさらに含む。
【００１２】
随意に、アップリンクデータメッセージは、協調端末によって測定されたチャネルパラメータを含み、第1の協調活性化リクエストに従って、第1のセルのPDCCH上で制御メッセージを送信するステップの後に、方法は、
チャネルパラメータに従って、協調端末が協調ステートを維持することができるかどうかを判定するステップと、
協調端末が協調ステートを維持することができないとき、第1の非活性化通知をマクロ基地局に送信するステップであって、第1の非活性化通知は、マクロ基地局に、協調スケジューリングを停止するように指示するために使用される、ステップと、
非活性化通知を協調端末に送信するステップであって、第2の非活性化通知は、協調端末に、協調スケジューリングを停止するように指示するために使用される、ステップと
をさらに含む。
【００１３】
随意に、第1の協調活性化リクエストは、合意された送信時間間隔（TTI）識別子を含み、
第1の協調活性化リクエストに従って、第1のセルのPDCCH上で制御メッセージを送信するステップは、
合意されたTTI識別子によって示されたTTIにおいて、第1のセルのPDCCH上で制御メッセージを送信するステップ
を含む。
【００１４】
本発明のこの実施形態では、スモールセルは、PDCCHリソースを協調端末に独立して割り当ててもよい。マクロ基地局は、アップリンク制御プレーンとデータプレーンの統合を確実にするために、スモールセルの第1のセルのPDCCH上で送信された制御メッセージを解析するように協調端末に指示するために、第1の協調活性化リクエストを使用して協調端末上の協調機能を活性化する。
【００１５】
第2の態様によれば、本発明は、協調スケジューリング方法を提供し、方法は、協調端末に適用される。協調端末は、マクロ基地局またはスモールセルによって決定され、協調スケジューリングされることが可能な端末であり、協調端末は、スマートフォン、コンピュータ、マルチメディアプレーヤ、電子書籍リーダ、ウェアラブルデバイスなどのネットワーク接続機能を有する装置であり得る。協調スケジューリング方法は、
マクロ基地局によって送信された第2の協調活性化リクエストを受信するステップであって、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルであり、第2の協調活性化リクエストは、第1のセルのPCIを含み、第2の協調活性化リクエストは、MAC通知内で伝えられ得る、ステップと、
第2の協調活性化リクエストに従って、第1のセルのPDCCH上で、第1のセルを管理するスモールセルによって送信された制御メッセージを受信するステップと
を含む。
【００１６】
随意に、第2の協調活性化リクエストに従って、第1のセルのPDCCH上で、第1のセルを管理するスモールセルによって送信された制御メッセージを受信するステップは、
PCIに従って、スモールセルの送信周波数チャネル番号、第1のセルのセル帯域幅、および第1のセルのPDCCHシンボル数を取得するステップと、
送信周波数チャネル番号、セル帯域幅、およびPDCCHシンボル数に従って、第1のセルのPDCCHロケーションを決定するステップと、
第1のセルのPDCCHロケーションにおいて、第1のセルを管理するスモールセルによって送信された制御メッセージを受信するステップと
を含む。
【００１７】
随意に、PCIに従って、スモールセルの送信周波数チャネル番号、第1のセルのセル帯域幅、および第1のセルのPDCCHシンボル数を取得するステップは、
予め設定された送信周波数チャネル番号を取得するステップと、
第1のセルのセル帯域幅として、PCIに対応するセルの測定されたセル帯域幅を使用するステップと、
第1のセルのPDCCHシンボル数として、PCIに対応するセルのものであり、PCIに対応するセルの物理制御フォーマット指示チャネル（PCFICH）上で測定された、PDCCHシンボル数を使用するステップと
を含む。
【００１８】
随意に、第2の協調活性化リクエストは、合意された送信時間間隔（TTI）識別子を含み、
第2の協調活性化リクエストに従って、第1のセルのPDCCH上で、第1のセルを管理するスモールセルによって送信された制御メッセージを受信するステップは、
合意されたTTI識別子によって示されたTTIにおいて、第1のセルのPDCCH上で、第1のセルを管理するスモールセルによって送信された制御メッセージを受信するステップ
を含む。
【００１９】
本発明のこの実施形態では、協調端末は、協調スケジューリングモジュールを備え得る。このモジュールは、協調スケジューリング機能を実行するように構成された、ソフトウェアモジュールであり得る。第2の協調活性化リクエストを受信した後、協調スケジューリングモジュールは、協調スケジューリング機能を活性化するためにイネーブルされる。非活性化リクエストを受信した後、協調スケジューリングモジュールはディセーブルされる。協調端末は、マクロ基地局とスモールセルとの協調スケジューリングプロセスを認識することができる。
【００２０】
第3の態様によれば、本発明は、協調スケジューリング方法を提供し、方法は、マクロ基地局に適用され、
協調ステートに入ることができる端末があると判定されるとき、協調スケジューリングを行う必要がある第1のセルを決定するステップと、
第1の協調活性化リクエストに従ってスモールセルが第1のセルのPDCCH上で制御メッセージを送信するように、第1のセルを管理するスモールセルに第1の協調活性化リクエストを送信するステップであって、第1の協調活性化リクエストは、スモールセルによって管理される第1のセルに、マクロ基地局と共に、協調端末をPDCCH上に協調スケジューリングするように指示するために使用される、ステップと、
第2の協調活性化リクエストに従って協調端末が第1のセルのPDCCH上で制御メッセージを受信するように、第2の協調活性化リクエストを、協調スケジューリングされる必要がある協調端末に送信するステップであって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む、ステップと
を含む。
【００２１】
随意に、第1のセルを管理するスモールセルに第1の協調活性化リクエストを送信するステップの前に、方法は、
協調スケジューリングが行われる必要があるとき、第1の協調活性化リクエストを生成するステップであって、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCHおよび物理アップリンク共有チャネル（PUSCH）上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される、ステップ
をさらに含む。
【００２２】
随意に、第1の協調活性化リクエストは、合意された送信時間間隔（TTI）識別子を含み、第2の協調活性化リクエストは、合意された送信時間間隔（TTI）識別子を含む。
【００２３】
第4の態様によれば、本発明は、協調スケジューリング装置を提供し、装置は、スモールセルに適用され、
マクロ基地局によって送信された第1の協調活性化リクエストを受信するように構成された、第1の受信ユニットであって、第1の協調活性化リクエストは、スモールセルによって管理される第1のセルに、マクロ基地局と共に、協調端末を物理ダウンリンク制御チャネル（PDCCH）上に協調スケジューリングするように指示するために使用され、協調端末は、マクロ基地局またはスモールセルによって決定され、協調スケジューリングされることが可能な端末である、第1の受信ユニットと、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニットであって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニットと
を備える。
【００２４】
随意に、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCH、PDSCH、および物理アップリンク共有チャネル（PUSCH）上に協調スケジューリングするように指示するために使用され、制御メッセージは、第1のセルに、マクロ基地局と共に、協調端末をPDSCH上に協調スケジューリングするように指示するために使用され、装置は、
制御メッセージに従って協調端末が第1のセルのPDSCH上でダウンリンクデータメッセージを受信するように、第1の協調活性化リクエストに従って、第1のセルのPDSCH上で協調端末にダウンリンクデータメッセージを送信するように構成された、第2の送信ユニット
をさらに備える。
【００２５】
随意に、第1の協調活性化リクエストは、第1のセルに、マクロ基地局と共に、協調端末をPDCCHおよびPUSCH上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用され、制御メッセージは、第1のセルに、マクロ基地局と共に、協調端末をPUSCH上に協調スケジューリングするように指示するために使用され、装置は、
第1の協調活性化リクエストに従って、第1のセルのPUSCH上で、協調端末によって送信されたアップリンクデータメッセージを受信するように構成された、第2の受信ユニットであって、アップリンクデータメッセージは、制御メッセージに従って協調端末によって送信される、第2の受信ユニット
をさらに備える。
【００２６】
随意に、装置は、
第1のセルが活性化された後、セル設定パラメータをマクロ基地局に報告するように構成された、報告ユニットであって、セル設定パラメータは、物理セル識別子（PCI）を含む、報告ユニット
をさらに備える。
【００２７】
随意に、第1の協調活性化リクエストは、協調端末の識別子を含み、装置は、
第1の協調活性化リクエストに従って、制御メッセージを生成するように構成された、生成ユニットであって、制御メッセージは、協調端末の識別子を含む、生成ユニット
をさらに備える。
【００２８】
随意に、アップリンクデータメッセージは、協調端末によって測定されたチャネルパラメータを含み、装置は、
チャネルパラメータに従って、協調端末が協調ステートを維持することができるかどうかを判定するように構成された、判定ユニットと、
協調端末が協調ステートを維持することができないとき、第1の非活性化通知をマクロ基地局に送信するように構成された、第3の送信ユニットであって、第1の非活性化通知は、マクロ基地局に、協調スケジューリングを停止するように指示するために使用される、第3の送信ユニットと、
非活性化通知を協調端末に送信するように構成された、第4の送信ユニットであって、第2の非活性化通知は、協調端末に、協調スケジューリングを停止するように指示するために使用される、第4の送信ユニットと
をさらに備える。
【００２９】
随意に、第1の協調活性化リクエストは、合意された送信時間間隔（TTI）識別子を含み、第1の送信ユニットは、
合意されたTTI識別子によって示されたTTIにおいて、第1のセルのPDCCH上で制御メッセージを送信する
ように構成される。
【００３０】
第5の態様によれば、本発明は、協調スケジューリング装置を提供し、装置は、協調端末に適用され、協調端末は、マクロ基地局またはスモールセルによって決定され、協調スケジューリングされることが可能な端末であり、装置は、
マクロ基地局によって送信された第2の協調活性化リクエストを受信するように構成された、第1の受信ユニットであって、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルであり、第2の協調活性化リクエストは、第1のセルのPCIを含む、第1の受信ユニットと、
第2の協調活性化リクエストに従って、第1のセルのPDCCH上で、第1のセルを管理するスモールセルによって送信された制御メッセージを受信するように構成された、第2の受信ユニットと
を備える。
【００３１】
随意に、第2の受信ユニットは、
PCIに従って、スモールセルの送信周波数チャネル番号、第1のセルのセル帯域幅、および第1のセルのPDCCHシンボル数を取得するように構成された、取得サブユニットと、
送信周波数チャネル番号、セル帯域幅、およびPDCCHシンボル数に従って、第1のセルのPDCCHロケーションを決定するように構成された、決定サブユニットと、
第1のセルのPDCCHロケーションにおいて、第1のセルを管理するスモールセルによって送信された制御メッセージを受信するように構成された、受信サブユニットと
を備える。
【００３２】
随意に、取得サブユニットは、
予め設定された送信周波数チャネル番号を取得し、
第1のセルのセル帯域幅として、PCIに対応するセルの測定されたセル帯域幅を使用し、
第1のセルのPDCCHシンボル数として、PCIに対応するセルのものであり、PCIに対応するセルの物理制御フォーマット指示チャネル（PCFICH）上で測定された、PDCCHシンボル数を使用する
ように構成される。
【００３３】
随意に、第2の協調活性化リクエストは、合意された送信時間間隔（TTI）識別子を含み、第2の受信ユニットは、
合意されたTTI識別子によって示されたTTIにおいて、第1のセルのPDCCH上で、第1のセルを管理するスモールセルによって送信された制御メッセージを受信する
ように構成される。
【００３４】
第6の態様によれば、協調スケジューリング装置が提供され、装置は、マクロ基地局に適用され、
協調ステートに入ることができる端末があると判定するとき、協調スケジューリングを行う必要がある第1のセルを決定するように構成された、決定ユニットと、
第1の協調活性化リクエストに従ってスモールセルが第1のセルのPDCCH上で制御メッセージを送信するように、第1のセルを管理するスモールセルに第1の協調活性化リクエストを送信するように構成された、第1の送信ユニットであって、第1の協調活性化リクエストは、スモールセルによって管理される第1のセルに、マクロ基地局と共に、協調端末をPDCCH上に協調スケジューリングするように指示するために使用され、協調端末は、マクロ基地局またはスモールセルによって決定され、協調スケジューリングされることが可能な端末である、第1の送信ユニットと、
第2の協調活性化リクエストに従って協調端末が第1のセルのPDCCH上で制御メッセージを受信するように、第2の協調活性化リクエストを、協調スケジューリングされる必要がある協調端末に送信するように構成された、第2の送信ユニットであって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む、第2の送信ユニットと
を備える。
【００３５】
随意に、装置は、
協調スケジューリングが行われる必要があるとき、第1の協調活性化リクエストを生成するように構成された、生成ユニットであって、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCHおよび物理アップリンク共有チャネル（PUSCH）上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される、生成ユニット
をさらに備える。
【００３６】
随意に、第1の協調活性化リクエストは、合意された送信時間間隔（TTI）識別子を含み、第2の協調活性化リクエストは、合意された送信時間間隔（TTI）識別子を含む。
【００３７】
第7の態様によれば、本発明は、協調スケジューリング装置を提供し、装置は、スモールセルに適用され、トランスミッタと、レシーバと、プロセッサとを備え、
トランスミッタは、マクロ基地局によって送信された第1の協調活性化リクエストを受信するように構成され、第1の協調活性化リクエストは、スモールセルによって管理される第1のセルに、マクロ基地局と共に、協調端末を物理ダウンリンク制御チャネル（PDCCH）上に協調スケジューリングするように指示するために使用され、協調端末は、マクロ基地局またはスモールセルによって決定され、協調スケジューリングされることが可能な端末であり、
レシーバは、マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成され、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む。
【００３８】
随意に、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCH、PDSCH、および物理アップリンク共有チャネル（PUSCH）上に協調スケジューリングするように指示するために使用され、制御メッセージは、第1のセルに、マクロ基地局と共に、協調端末をPDSCH上に協調スケジューリングするように指示するために使用される。マクロ基地局によって送信された第1の協調活性化リクエストを受信した後に、
トランスミッタは、制御メッセージに従って協調端末が第1のセルのPDSCH上でダウンリンクデータメッセージを受信するように、第1の協調活性化リクエストに従って、第1のセルのPDSCH上で協調端末にダウンリンクデータメッセージを送信するようにさらに構成される。
【００３９】
随意に、第1の協調活性化リクエストは、第1のセルに、マクロ基地局と共に、協調端末をPDCCHおよびPUSCH上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用され、制御メッセージは、第1のセルに、マクロ基地局と共に、協調端末をPUSCH上に協調スケジューリングするように指示するために使用される。レシーバは、第1の協調活性化リクエストに従って、第1のセルのPUSCH上で、協調端末によって送信されたアップリンクデータメッセージを受信するように構成され、アップリンクデータメッセージは、制御メッセージに従って協調端末によって送信される。
【００４０】
随意に、トランスミッタは、第1のセルが活性化された後、セル設定パラメータをマクロ基地局に報告するように構成され、セル設定パラメータは、物理セル識別子（PCI）を含む。
【００４１】
随意に、第1の協調活性化リクエストは、協調端末の識別子を含み、プロセッサは、第1の協調活性化リクエストに従って、制御メッセージを生成し、制御メッセージは、協調端末の識別子を含む。
【００４２】
随意に、アップリンクデータメッセージは、協調端末によって測定されたチャネルパラメータを含み、
プロセッサは、チャネルパラメータに従って、協調端末が協調ステートを維持することができるかどうかを判定するようにさらに構成され、
トランスミッタは、協調端末が協調ステートを維持することができないとき、第1の非活性化通知をマクロ基地局に送信するようにさらに構成され、第1の非活性化通知は、マクロ基地局に、協調スケジューリングを停止するように指示するために使用され、
トランスミッタは、非活性化通知を協調端末に送信するようにさらに構成され、第2の非活性化通知は、協調端末に、協調スケジューリングを停止するように指示するために使用され、
第1の協調活性化リクエストは、合意された送信時間間隔（TTI）識別子を含み、トランスミッタは、合意されたTTI識別子によって示されたTTIにおいて、第1のセルのPDCCH上で制御メッセージを送信するように構成される。
【００４３】
第8の態様によれば、本発明は、協調スケジューリング装置を提供し、装置は、協調端末に適用され、協調端末は、マクロ基地局またはスモールセルによって決定され、協調スケジューリングされることが可能な端末であり、装置は、レシーバと、トランスミッタと、プロセッサとを備え、
レシーバは、マクロ基地局によって送信された第2の協調活性化リクエストを受信するように構成され、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルであり、第2の協調活性化リクエストは、第1のセルのPCIを含み、
レシーバは、第2の協調活性化リクエストに従って、第1のセルのPDCCH上で、第1のセルを管理するスモールセルによって送信された制御メッセージを受信するようにさらに構成される。
【００４４】
随意に、プロセッサは、PCIに従って、スモールセルの送信周波数チャネル番号、第1のセルのセル帯域幅、および第1のセルのPDCCHシンボル数を取得するように構成され、
プロセッサは、送信周波数チャネル番号、セル帯域幅、およびPDCCHシンボル数に従って、第1のセルのPDCCHロケーションを決定するようにさらに構成され、
レシーバは、第1のセルのPDCCHロケーションにおいて、第1のセルを管理するスモールセルによって送信された制御メッセージを受信するように構成される。
【００４５】
随意に、プロセッサは、
予め設定された送信周波数チャネル番号を取得し、
第1のセルのセル帯域幅として、PCIに対応するセルの測定されたセル帯域幅を使用し、
第1のセルのPDCCHシンボル数として、PCIに対応するセルのものであり、PCIに対応するセルの物理制御フォーマット指示チャネル（PCFICH）上で測定された、PDCCHシンボル数を使用する
ように構成される。
【００４６】
随意に、第2の協調活性化リクエストは、合意された送信時間間隔（TTI）識別子を含み、レシーバは、合意されたTTI識別子によって示されたTTIにおいて、第1のセルのPDCCH上で、第1のセルを管理するスモールセルによって送信された制御メッセージを受信するように構成される。
【００４７】
第9の態様によれば、本発明は、協調スケジューリング装置を提供し、装置は、マクロ基地局に適用され、レシーバと、トランスミッタと、プロセッサとを備え、
プロセッサは、協調ステートに入ることができる端末があると判定するとき、協調スケジューリングを行う必要がある第1のセルを決定するように構成され、
トランスミッタは、第1の協調活性化リクエストに従ってスモールセルが第1のセルのPDCCH上で制御メッセージを送信するように、第1のセルを管理するスモールセルに第1の協調活性化リクエストを送信するように構成され、第1の協調活性化リクエストは、スモールセルによって管理される第1のセルに、マクロ基地局と共に、協調端末をPDCCH上に協調スケジューリングするように指示するために使用され、協調端末は、マクロ基地局またはスモールセルによって決定され、協調スケジューリングされることが可能な端末であり、
トランスミッタは、第2の協調活性化リクエストに従って協調端末が第1のセルのPDCCH上で制御メッセージを受信するように、第2の協調活性化リクエストを、協調スケジューリングされる必要がある協調端末に送信するように構成され、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む。
【００４８】
随意に、プロセッサは、
協調スケジューリングが行われる必要があるとき、第1の協調活性化リクエストを生成するようにさらに構成され、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCHおよび物理アップリンク共有チャネル（PUSCH）上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される。
【００４９】
随意に、第1の協調活性化リクエストは、合意された送信時間間隔（TTI）識別子を含み、第2の協調活性化リクエストは、合意された送信時間間隔（TTI）識別子を含む。
【００５０】
第10の態様によれば、本発明は、マクロ基地局と、スモールセルと、協調端末とを備える、協調スケジューリングシステムを提供する。協調端末は、マクロ基地局またはスモールセルによって決定され、協調スケジューリングされることが可能な端末であり、
スモールセルは、第4の態様に係る協調スケジューリング装置を含み、
端末は、第5の態様に係る協調スケジューリング装置を含み、
マクロ基地局は、第6の態様に係る協調スケジューリング装置を含む。
【００５１】
第11の態様によれば、本発明は、マクロ基地局と、スモールセルと、協調端末とを備える、協調スケジューリングシステムを提供する。協調端末は、マクロ基地局またはスモールセルによって決定され、協調スケジューリングされることが可能な端末であり、
スモールセルは、第7の態様に係る協調スケジューリング装置を含み、
端末は、第8の態様に係る協調スケジューリング装置を含み、
マクロ基地局は、第9の態様に係る協調スケジューリング装置を含む。
【００５２】
本発明は、非一時的なコンピュータ可読記録媒体を提供し、協調スケジューリング装置のプロセッサによって記録媒体内の命令が実行されたとき、装置は、協調スケジューリング方法を実行することができる。方法は、
マクロ基地局によって送信された第1の協調活性化リクエストを受信するステップであって、第1の協調活性化リクエストは、スモールセルによって管理される第1のセルに、マクロ基地局と共に、協調端末を物理ダウンリンク制御チャネル（PDCCH）上に協調スケジューリングするように指示するために使用され、協調端末は、マクロ基地局またはスモールセルによって決定され、協調スケジューリングされることが可能な端末である、ステップと、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するステップであって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、ステップと
を含む。
【００５３】
本発明は、非一時的なコンピュータ可読記録媒体を提供し、協調スケジューリング装置のプロセッサによって記録媒体内の命令が実行されたとき、装置は、協調スケジューリング方法を実行することができる。方法は、
マクロ基地局によって送信された第2の協調活性化リクエストを受信するステップであって、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルであり、第2の協調活性化リクエストは、第1のセルのPCIを含む、ステップと、
第2の協調活性化リクエストに従って、第1のセルのPDCCH上で、第1のセルを管理するスモールセルによって送信された制御メッセージを受信するステップと
を含む。
【００５４】
本発明は、非一時的なコンピュータ可読記録媒体を提供し、協調スケジューリング装置のプロセッサによって記録媒体内の命令が実行されたとき、装置は、協調スケジューリング方法を実行することができる。方法は、
協調ステートに入ることができる端末があると判定するとき、協調スケジューリングを行う必要がある第1のセルを決定するステップと、
第1の協調活性化リクエストに従ってスモールセルが第1のセルのPDCCH上で制御メッセージを送信するように、第1のセルを管理するスモールセルに第1の協調活性化リクエストを送信するステップであって、第1の協調活性化リクエストは、スモールセルによって管理される第1のセルに、マクロ基地局と共に、協調端末をPDCCH上に協調スケジューリングするように指示するために使用される、ステップと、
第2の協調活性化リクエストに従って協調端末が第1のセルのPDCCH上で制御メッセージを受信するように、第2の協調活性化リクエストを、協調スケジューリングされる必要がある協調端末に送信するステップであって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む、ステップと
を含む。
【００５５】
本発明の実施形態では、協調端末の制御プレーンおよびデータプレーン両方がスモールセル上で処理され、それによって、スモールセルのPDCCHリソースを十分に活用し、マクロ基地局のPDCCHリソースが制限される可能性を低減し、ネットワーク中のIPRANの全体のアルゴリズム複雑度を低減し、協調スケジューリング信頼性を向上させる。また、本発明の実施形態では、スモールセルのPDCCHリソースが、PDSCHリソースを占有する必要なしに十分に活用され、ダウンリンクネットワーク容量が影響を受けない。また、協調中にPDCCHデータを交換する必要がなく、協調アルゴリズム複雑度が低減される。
【００５６】
本発明の実施形態で提供される協調スケジューリング方法は、別の実施態様シナリオ、例えば、MCEを使用してPDCCHパラメータを通知するシナリオ、HetNetにおいてマクロ基地局とスモールセルとについて周波数間ネットワーク形成が行われているときに協調セルによってPDCCHを共有するシナリオ、またはマクロ基地局が互いに協調するときに協調セルによってPDCCHを共有するシナリオにも、適用され得ることに留意するべきである。具体的な適用プロセスについては、前述の実施形態を参照することとし、また、詳細は本発明の実施形態では説明しない。
【００５７】
本発明の、予め設定されたチャネルアルゴリズムなどいくつかの関連アルゴリズム、またはPDCCHチャネルなどいくつかのチャネルの定義については、関連するプロトコル、例えば第3世代パートナーシッププロジェクト（英語：3rd Generation Partnership Project、略して3GPP） TS 36.211：物理チャネルおよび変調（英語：Physical channels and modulation）、3GPP TS 36.212：多重化とチャネル符号化（Multiplexing and channel coding）、または3GPP TS 36.213：物理層手順（Physical layer procedures）を参照されたい。TSは、ファイルが技術仕様であることを示す。
【００５８】
その結果、本発明の実施形態で提供される協調スケジューリング方法、装置、およびシステムによれば、スモールセルが協調端末にPDCCHリソースを割り当てるということを実施するために、スモールセルは、第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【００５９】
本発明の実施形態では、協調端末、第1のセル、第1の協調活性化リクエスト、第2の協調活性化リクエストなどは、制限を課すのではなく区別するために名前を付けていることを理解するべきである。
【００６０】
本発明の実施形態において、協調スケジューリングとは、マクロ基地局とスモールセルとが、同じ端末（本発明の実施形態では協調端末である）についてのスケジューリング解をネゴシエーションすることを意味する。例えば、本発明の実施形態において、スモールセルによって管理される第1のセルとマクロ基地局とが協調端末をPDCCH上に協調スケジューリングするということは、スモールセルは第1のセルのPDCCHを使用して協調端末に制御メッセージを送信し得、マクロ基地局はマクロ基地局のPDCCHを使用して協調端末に制御メッセージを送信し得、スモールセルおよびマクロ基地局によって制御メッセージを送信する瞬間が事前にネゴシエーションされるということを意味する。第1のセルとマクロ基地局とが協調端末をPDSCH上に協調スケジューリングするということは、スモールセルは第1のセルのPDSCHを使用して協調端末にダウンリンクデータを送信し得、例えばダウンリンクデータ送信メッセージ、マクロ基地局はマクロ基地局のPDSCHを使用して協調端末にダウンリンクデータを送信し得、スモールセルおよびマクロ基地局によってダウンリンクデータを送信する瞬間が事前にネゴシエーションされるということを意味する。第1のセルとマクロ基地局とが協調端末をPUSCH上に協調スケジューリングするということは、スモールセルは第1のセルのPUSCHを使用して協調端末にアップリンクデータを送信し得、例えばアップリンクデータ送信メッセージ、マクロ基地局はマクロ基地局のPUSCHを使用して協調端末にアップリンクデータを送信し得、スモールセルおよびマクロ基地局によってアップリンクデータを送信する瞬間が事前にネゴシエーションされるということを意味する。
【００６１】
本願で提供されるいくつかの実施形態では、開示されるシステム、装置、および方法は、別の方法で実施され得ることが理解されるべきである。例えば、記載された装置の実施形態は、単なる一例に過ぎない。例えば、ユニットの区分は、単に論理的な機能区分に過ぎず、実際の実施態様では別の区分であってもよい。例えば、複数のユニットまたは構成要素が、別のシステムに組み合わされるかまたは統合されてもよく、または、いくつかの特徴が無視されるかもしくは実行されなくてもよい。
【００６２】
例えば、第4の態様で提供される協調スケジューリング装置において、第1の受信ユニットおよび第2の受信ユニットによって実行される動作は、1つの受信ユニットによって実行されてもよく、第1の送信ユニット、第2の送信ユニット、第3の送信ユニット、および第4の送信ユニットによって実行される動作は、1つの送信ユニットによって実行されてもよい。第5の態様で提供される協調スケジューリング装置において、第1の受信ユニットおよび第2の受信ユニットによって実行される動作は、1つの受信ユニットによって実行されてもよい。第6の態様で提供される協調スケジューリング装置において、第1の送信ユニットおよび第2の送信ユニットによって実行される動作は、1つの送信ユニットによって実行されてもよい。
【００６３】
前述の概要および以下の詳細な説明は、単なる例および説明に過ぎず、本発明を制限することはできないということが理解されるべきである。
【００６４】
本発明の実施形態における技術的解をより明確に説明するため、以下では、実施形態を説明するために必要な添付図面を簡潔に説明する。当然ながら、以下の説明において添付図面は、本発明に対する単なるいくつかの実施形態を示しているに過ぎず、通常の当業者であれば、創意工夫することなく、これらの添付図面から他の図面をさらに派生させ得る。
【図面の簡単な説明】
【００６５】
【図１−１】本発明の一実施形態に係る、協調スケジューリング方法に関連する一実装環境の模式図を示している。
【図１−２】本発明の一実施形態に係る、別の協調スケジューリング方法に関連する一実装環境の模式図を示している。
【図２】本発明の一実施形態に係る、協調スケジューリング方法のフローチャートを示している。
【図３】本発明の一実施形態に係る、別の協調スケジューリング方法のフローチャートを示している。
【図４】本発明の一実施形態に係る、さらに別の協調スケジューリング方法のフローチャートを示している。
【図５−１Ａ】本発明の別の実施形態に係る、協調スケジューリング方法のフローチャートを示している。
【図５−１Ｂ】本発明の別の実施形態に係る、協調スケジューリング方法のフローチャートを示している。
【図５−２】本発明の一実施形態に係る、第1のセルを管理するスモールセルによって送信された制御メッセージを、協調端末によって、第2の協調活性化リクエストに従って第1のセルのPDCCH上で受信する方法のフローチャートを示している。
【図６Ａ】本発明の別の実施形態に係る、別の協調スケジューリング方法のフローチャートを示している。
【図６Ｂ】本発明の別の実施形態に係る、別の協調スケジューリング方法のフローチャートを示している。
【図７Ａ】本発明の別の実施形態に係る、さらに別の協調スケジューリング方法のフローチャートを示している。
【図７Ｂ】本発明の別の実施形態に係る、さらに別の協調スケジューリング方法のフローチャートを示している。
【図８−１】本発明の一実施形態に係る、協調スケジューリング装置の模式的構造図を示している。
【図８−２】本発明の一実施形態に係る、別の協調スケジューリング装置の模式的構造図を示している。
【図８−３】本発明の一実施形態に係る、さらに別の協調スケジューリング装置の模式的構造図を示している。
【図８−４】本発明の一実施形態に係る、さらに別の協調スケジューリング装置の模式的構造図を示している。
【図８−５】本発明の別の実施形態に係る、協調スケジューリング装置の模式的構造図を示している。
【図８−６】本発明の別の実施形態に係る、別の協調スケジューリング装置の模式的構造図を示している。
【図９−１】本発明の別の実施形態に係る、さらに別の協調スケジューリング装置の模式的構造図を示している。
【図９−２】本発明の別の実施形態に係る、第2の受信ユニットの模式的構造図を示している。
【図１０−１】本発明の別の実施形態に係る、さらに別の協調スケジューリング装置の模式的構造図を示している。
【図１０−２】本発明のさらに別の実施形態に係る、協調スケジューリング装置の模式的構造図を示している。
【図１１】本発明のさらに別の実施形態に係る、別の協調スケジューリング装置の模式的構造図を示している。
【図１２】本発明のさらに別の実施形態に係る、さらに別の協調スケジューリング装置の模式的構造図を示している。
【図１３】本発明のさらに別の実施形態に係る、さらに別の協調スケジューリング装置の模式的構造図を示している。
【発明を実施するための形態】
【００６６】
上記の添付図面は、本発明の具体的な実施形態を示しており、さらに詳細な説明を以下に提供する。添付図面およびテキスト記述は、いかなる方法によっても本発明の着想の範囲を制限することを意図するものではなく、特定の実施形態を参照しつつ、当業者に本発明の概念を説明することを意図している。
【００６７】
本発明の目的、技術的解、および利点をより明確にするため、以下では、添付図面を参照しつつ、詳細に本発明の実施形態をさらに説明する。
【００６８】
通信サービスにおいて、スペクトルリソースおよび電力リソースは限られている。しかしながら、異なる通信セルには異なる端末数（ユーザ数と見なし得る）およびサービスボリュームがある。通信システムは、一部の端末だけを考慮することはできず、通信システム内の端末ユーザが通常の良好な通信を持てるようにリソースを適切に割り当てる必要がある。この割当て方法またはポリシーが、スケジューリングアルゴリズムまたはスケジューリング技術である。スケジューリングアルゴリズムまたはスケジューリング技術を使用してリソースを端末に割り当てるプロセスを、スケジューリングと称し得る。
【００６９】
図1−1は、本発明の一実施形態に係る、協調スケジューリング方法に関連する一実装環境の模式図を示している。実装環境は、LTE HetNetであり得る。実装環境は、マクロ基地局110、少なくとも1つのスモールセル120、および少なくとも1つの端末130を含む。マクロ基地局110と少なくとも1つのスモールセル120とが、HetNetを形成する。各スモールセル120は、少なくとも1つのセル1201を管理する。少なくとも1つの端末130は、協調端末1301を含む。協調端末1301は、マクロ基地局110とスモールセル120とによって協調スケジューリングされる必要がある対象であり、マクロ基地局110またはスモールセル120によって決定される。
【００７０】
図1−1に示す実装環境では、マクロ基地局110とスモールセル120とのためのネットワーク配置は、イントラ周波数配置によって行われる。つまり、マクロ基地局110とスモールセル120とは、同じ送信周波数チャネル番号を使用する。マクロ基地局110とスモールセル120とは、ネットワーク容量およびユーザエクスペリエンスを向上させるために、協調端末1301を協調スケジューリングする。端末130は、スマートフォン、コンピュータ、マルチメディアプレーヤ、電子書籍リーダ、ウェアラブルデバイスなどであり得る。
【００７１】
図1−2は、本発明の一実施形態に係る、別の協調スケジューリング方法に関連する一実装環境の模式図を示している。この実装環境では、マクロ基地局110とスモールセル120とが協調端末1301を協調スケジューリングすると想定し、マクロ基地局110およびスモールセル120は、無線リンクを使用して協調端末1301とのデータ通信を別々に行うことができ、マクロ基地局110およびスモールセル120は、イーサネット（登録商標）を使用してコアネットワーク装置140とデータ送信を行い得る。
【００７２】
本発明の一実施形態は、協調スケジューリング方法を提供し、方法は、図1−1または図1−2に示すスモールセルに適用される。図2に示すように、協調スケジューリング方法は以下を含む。
【００７３】
ステップ201：マクロ基地局によって送信された第1の協調活性化リクエストを受信し、第1の協調活性化リクエストは、スモールセルによって管理される第1のセルに、マクロ基地局と共に、協調端末を物理ダウンリンク制御チャネル（PDCCH）上に協調スケジューリングするように指示するために使用される。
【００７４】
ステップ202：マクロ基地局によって送信された第2の協調活性化リクエストに従って協調端末が第1のセルのPDCCH上で制御メッセージを受信するように、第1の協調活性化リクエストに従って第1のセルのPDCCH上で制御メッセージを送信する。
【００７５】
第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（英語：Physical Cell ID、略してPCI）を含む。
【００７６】
その結果、本発明のこの実施形態で提供される協調スケジューリング方法によれば、スモールセルが協調端末にPDCCHリソースを割り当てるということを実施するために、スモールセルは、第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【００７７】
本発明の一実施形態は、協調スケジューリング方法を提供し、方法は、図1−1または図1−2に示す協調端末に適用される。図3に示すように、協調スケジューリング方法は以下のステップを含んでいる。
【００７８】
ステップ301：マクロ基地局によって送信された第2の協調活性化リクエストを受信し、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルである。
【００７９】
第2の協調活性化リクエストは、第1のセルのPCIを含む。協調スケジューリングを行う必要があるセルは、協調端末について決定される。つまり、マクロ基地局が、協調端末をスケジューリングする、スモールセルのセルを決定する。協調端末は、マクロ基地局またはスモールセルによって決定され、協調スケジューリングされることが可能な端末である。
【００８０】
ステップ302：第1のセルを管理するスモールセルによって送信された制御メッセージを、第2の協調活性化リクエストに従って第1のセルのPDCCH上で受信する。
【００８１】
その結果、本発明のこの実施形態で提供される協調スケジューリング方法によれば、スモールセルが協調端末にPDCCHリソースを割り当てるということを実施するために、協調端末は、マクロ基地局によって送信された第2の協調活性化リクエストに従って、第1のセルのPDCCH上で、第1のセルを管理するスモールセルによって送信された制御メッセージを受信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【００８２】
本発明の一実施形態は、協調スケジューリング方法を提供し、方法は、図1−1または図1−2に示すマクロ基地局に適用される。図4に示すように、方法は、以下のステップを含んでいる。
【００８３】
ステップ401：協調ステートに入ることができる端末があると判定されるとき、協調スケジューリングを行う必要がある第1のセルを決定する。
【００８４】
協調スケジューリングを行う必要があるセルは、協調端末について決定される。つまり、マクロ基地局が、協調端末をスケジューリングする、スモールセルのセルを決定する。協調端末は、マクロ基地局またはスモールセルによって決定され、協調スケジューリングされることが可能な端末である。
【００８５】
ステップ402：第1の協調活性化リクエストに従ってスモールセルが第1のセルのPDCCH上で制御メッセージを送信するように、第1のセルを管理するスモールセルに、第1の協調活性化リクエストを送信し、第1の協調活性化リクエストは、スモールセルによって管理される第1のセルに、マクロ基地局と共に、協調端末をPDCCH上に協調スケジューリングするように指示するために使用される。
【００８６】
ステップ403：第2の協調活性化リクエストに従って協調端末が第1のセルのPDCCH上で制御メッセージを受信するように、協調スケジューリングされる必要がある協調端末に第2の協調活性化リクエストを送信する。
【００８７】
第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む。
【００８８】
その結果、本発明のこの実施形態で提供される協調スケジューリング方法によれば、スモールセルが協調端末にPDCCHリソースを割り当てるということを実施するために、マクロ基地局によって送信された第2の協調活性化リクエストに従って協調基地局が第1のセルのPDCCH上で第1のセルを管理するスモールセルによって送信された制御メッセージを受信し得るように、マクロ基地局は、第1のセルを管理するスモールセルに第1の協調活性化リクエストを送信し得、かつ、協調端末に第2の協調活性化リクエストを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【００８９】
実際の適用では、協調スケジューリングプロセスにおいて、協調スケジューリングに使用されるセルは、スモールセルによって管理される第1のセルであると想定して、第1のセルとマクロ基地局とは、協調端末をPDCCH、物理ダウンリンク共有チャネル（英語：Physical Downlink Shared Channel、略してPDSCH）、および物理アップリンク共有チャネル（英語：Physical Uplink Shared Channel、略してPUSCH）上に協調スケジューリングし得るか、または第1のセルとマクロ基地局とは、協調端末をPDCCHおよびPDSCH上に協調スケジューリングし得るか、または第1のセルとマクロ基地局とは、協調端末をPDCCHおよび物理アップリンク共有チャネル（PUSCH）上に協調スケジューリングし得る。
【００９０】
第1の態様では、第1のセルとマクロ基地局とは、協調端末をPDCCH、PDSCH、およびPUSCH上に協調スケジューリングすると想定して、本発明の一実施形態は、協調スケジューリング方法を提供する。方法は、図1−1または図1−2に示す実装環境に適用される。図5−1Aおよび図5−1Bに示すように、方法は、以下のステップを含んでいる。
【００９１】
ステップ501：第1のセルが活性化された後、スモールセルは、第1のセルのセル設定パラメータをマクロ基地局に報告する。
【００９２】
本発明のこの実施形態では、HetNet内のいかなるセルが活性化された後も、セルを管理するスモールセルは、セルのセル設定パラメータをマクロ基地局に送信し得る。本発明のこの実施形態では、第1のセルは、一例として使用されているだけである。他のいかなるセルの動作についても、第1のセルを参照のこと。
【００９３】
通常、セル設定パラメータは、PCIを含み得る。PCIは、セルを識別するために使用される物理層セル識別子番号である。例えば、ロングタームエボリューション（英語：Long Term Evolution、略してLTE）システムでは、0から503の範囲の504個のPCIがある。
【００９４】
ステップ502：協調ステートに入ることができる端末があると決定するとき、マクロ基地局は、協調スケジューリングを行う必要がある第1のセルを決定する。
【００９５】
マクロ基地局は、マクロ基地局によってサービスされている各端末が協調ステートに入ることができるかどうか、を判定し得る。協調ステートに入ることができる端末があると判定するとき、マクロ基地局は、協調ステートに入ることができる端末を協調端末として使用し、次いで、協調端末を協調スケジューリングする必要がある第1のセルを決定する。第1のセルは、スモールセルによって管理されるセルである。
【００９６】
マクロ基地局は、予め設定された協調スケジューリングアルゴリズムに従って、マクロ基地局によってサービスされている各端末が協調ステートに入ることができるかどうか、を判定し得ることに留意するべきである。協調スケジューリングアルゴリズムは、端末によって計測されたチャネルパラメータ、例えばセル動的ポイント選択アルゴリズムとも称される、動的ポイント選択（英語：Dynamic Point Selection、略してDPS）アルゴリズムに基づいて決定され得る。具体的な計算プロセスについては、関連技術を参照されたい。本発明のこの実施形態では、詳細は説明しない。チャネルパラメータは、現在のチャネル状態を反映するために使用される。随意に、マクロ基地局によってサービスされている各端末が協調ステートに入ることができるかどうか、を判定する動作は、スモールセルによって実行され得る。協調端末を決定した後、スモールセルは、協調端末をマクロ基地局に報告する。これは、本発明のこの実施形態では、限定されない。
【００９７】
ステップ503：マクロ基地局は、第1の協調活性化リクエストおよび第2の協調活性化リクエストを生成する。
【００９８】
本発明のこの実施形態では、マクロ基地局の各チャネル、例えばPDCCH、PDSCH、およびPUSCHの状態に従って、マクロ基地局は、協調スケジューリングされる必要があるチャネルを決定し得る。例えば、この実施形態では、マクロ基地局が、マクロ基地局のチャネル状態に従って、スモールセルの第1のセルとマクロ基地局とがPDCCH、PDSCH、およびPUSCH上に協調スケジューリングを行うことができると判定することを想定して、PDCCH、PDSCH、およびPUSCHすべてが、協調スケジューリングされる必要があり、第1の協調活性化リクエストは、第1のセルに、マクロ基地局と共に、協調端末をPDCCH、PDSCH、およびPUSCH上に協調スケジューリングするように指示するために使用される。それに対応して、第2の協調活性化リクエストは、協調端末に、PDCCH、PDSCH、およびPUSCH上で、第1のセルとマクロ基地局とによって行われた協調スケジューリングを受け入れるように指示するために使用される。
【００９９】
ステップ504：マクロ基地局は、第1の協調活性化リクエストを、第1のセルを管理するスモールセルに送信する。
【０１００】
第1の協調活性化リクエストは、第1のセルに、マクロ基地局と共に、協調端末をPDCCH、PDSCH、およびPUSCH上に協調スケジューリングするように指示するために使用される。スモールセルは、第1の協調活性化リクエストに従って、スモールセルの協調機能を活性化し得る。第1の協調活性化リクエストは、協調端末の識別子を含み得る。
【０１０１】
ステップ505：マクロ基地局は、第2の協調活性化リクエストを、協調スケジューリングされる必要がある協調端末に送信する。
【０１０２】
ステップ501において、スモールセルは、第1のセルが活性化された後、第1のセルのセル設定パラメータをマクロ基地局に報告しており、セル設定パラメータは、第1のセルのPCIを含んでおり、ステップ502において、第1のセルが協調スケジューリングを行うことができると判定される。したがって、マクロ基地局は、予め記憶されたセル設定パラメータから第1のセルのPCIを取得し、PCIを伝える第2の協調活性化リクエストを生成し、第2の協調活性化リクエストを協調端末に送信する。
【０１０３】
実際の適用では、第2の協調活性化リクエストは、送信のための無線リソース制御（英語：Radio Resource Control、略してRRC）メッセージ内で伝えられ得る。
【０１０４】
ステップ506：スモールセルは、第1の協調活性化リクエストに従って、第1のセルのPDCCH上で制御メッセージを送信する。
【０１０５】
最初に、スモールセルは、第1の協調活性化リクエストに従って、スモールセルの協調機能を活性化する。第1の協調活性化リクエストは、第1のセルに、マクロ基地局と共に、協調端末をPDCCH、PDSCH、およびPUSCH上に協調スケジューリングするように指示するために使用されるため、スモールセルは、PDCCHリソースを協調端末に割り当て得る。したがって、スモールセルは、第1の協調活性化リクエストに従って、第1のセルのPDCCH上で制御メッセージを送信し得る。
【０１０６】
ステップ507：協調端末は、第1のセルを管理するスモールセルによって送信された制御メッセージを、第2の協調活性化リクエストに従って第1のセルのPDCCH上で受信する。
【０１０７】
第2の協調活性化リクエストは、協調端末に、PDCCH、PDSCH、およびPUSCH上で、第1のセルとマクロ基地局とによって行われた協調スケジューリングを受け入れるように指示するために使用され、第2の協調活性化リクエストは、第1のセルのPCIを含む。したがって、協調端末は、マクロ基地局によって送信された第2の協調活性化リクエストを受信し、次いで、協調端末の協調スケジューリング機能を活性化する。本発明のこの実施形態では、協調端末は、協調スケジューリング機能を実行するように構成された、協調スケジューリングモジュールを備え得る。第2の協調活性化リクエストを受信した後、協調スケジューリングモジュールは、協調スケジューリング機能を活性化するためにイネーブルされる。
【０１０８】
制御プレーンとデータプレーンを統合するための基礎を構築するために、第1のセルによってPDCCHを使用して送信された制御メッセージを協調端末が受信して解析できるように、マクロ基地局は、第2の協調活性化リクエストを使用して第1のセルのPCIを協調端末に通知する。第2の協調活性化リクエストは、メディアアクセス制御（英語：Media Access Control、略してMAC）制御要素（英語：MAC Control Element、MCE）通知内で伝えられ得る。
【０１０９】
実際の適用では、制御メッセージを受信した後、協調端末は、マクロ基地局に活性化確認メッセージを返し得る。活性化確認メッセージを受信した後、マクロ基地局は、協調端末が協調スケジューリング機能を活性化したと判定する。次いで、ステップ506において、スモールセルによる、第1のセルのPDCCH上での制御メッセージ送信の動作がトリガされる。これによって、制御メッセージの送信有効性を確実にすることができ、協調端末が協調スケジューリングされることができないときに制御メッセージを送信することを回避することができる。
【０１１０】
本発明のこの実施形態では、図5−2に示すように、協調端末が、第1のセルを管理するスモールセルによって送信された制御メッセージを、第2の協調活性化リクエストに従って第1のセルのPDCCH上で受信するプロセスは、以下のステップを含み得る。
【０１１１】
ステップ5071：協調端末は、PCIに従って、スモールセルの送信周波数チャネル番号、第1のセルのセル帯域幅、および第1のセルのPDCCHシンボル数を取得する。
【０１１２】
例えば、マクロ基地局とスモールセルとは同じ送信周波数チャネル番号を持っているため、マクロ基地局は、送信周波数チャネル番号を協調端末内に設定するために、協調端末に送信周波数チャネル番号を通知するために、協調端末に前もって情報を送信し得る。したがって、協調端末は、予め設定された送信周波数チャネル番号を取得し得る。また、協調端末は、現在のセルのチャネルパラメータおよび現在のセルの隣接するセルのチャネルパラメータをリアルタイムで測定し得、チャネルパラメータはセル帯域幅を含み得る。したがって、PCIに対応するセル（つまり、第1のセル）の測定されたセル帯域幅は、第1のセルのセル帯域幅として使用され得る。また、協調端末は、第1のセルのPDCCHシンボル数として、PCIに対応するセルのものであって、PCIに対応するセル（つまり、第1のセル）の物理制御フォーマット指示チャネル（英語：Physical control format indicator channel、PCFICH）上で測定されたPDCCHシンボル数を使用する。
【０１１３】
ステップ5072：協調端末は、送信周波数チャネル番号、セル帯域幅、およびPDCCHシンボル数に従って第1のセルのPDCCHロケーションを決定する。
【０１１４】
協調端末は、予め設定されたチャネルアルゴリズムに基づき、送信周波数チャネル番号、セル帯域幅、およびPDCCHシンボル数に従ってPDCCHロケーションを決定し得る。予め設定されたチャネルアルゴリズムについては、関連するプロトコル、例えば第3世代パートナーシッププロジェクト（英語：the 3rd Generation Partnership Project、略して3GPP） TS 36.211：物理チャネルおよび変調（英語：Physical channels and modulation）、3GPP TS 36.212：多重化とチャネル符号化（Multiplexing and channel coding）、または3GPP TS 36.213：物理層手順（Physical layer procedures）を参照されたい。TSは、ファイルが技術仕様ファイルであることを示す。
【０１１５】
ステップ5073：協調端末は、第1のセルのPDCCHロケーションにおいて、第1のセルを管理するスモールセルによって送信された制御メッセージを受信する。
【０１１６】
マクロ基地局に活性化確認メッセージを返した後、協調端末は、第1のセルのPDCCHをブラインド検出し得、制御メッセージが第1のセルのPDCCH上にマッピングされていることを検出したとき、制御メッセージを取得し得る。
【０１１７】
ステップ506の前に、スモールセルは、第1の協調活性化リクエストに従って制御メッセージを生成し得、制御メッセージは協調端末の識別子を含むことに留意するべきである。ステップ506において、スモールセルが第1のセルのPDCCH上で制御メッセージを送信するプロセスは、実際には、制御メッセージを第1のセルのPDCCH上にマッピングするプロセスである。協調端末は、第2の協調活性化リクエストに従って、第1のセルのPDCCHロケーションにおいて制御メッセージを取得し得、制御メッセージが協調端末の識別子を伝えているかどうか、を判定し得る。制御メッセージが協調端末の識別子を伝えているとき、協調端末は、制御メッセージが協調端末向けであると判定するか、または制御メッセージが協調端末の識別子を伝えていないとき、協調端末は、制御メッセージが協調端末向けではないと判定し、協調端末は、制御メッセージを廃棄または削除し得る。
【０１１８】
ステップ508：協調端末は、制御メッセージを解析する。
【０１１９】
具体的な解析プロセスについては、関連するプロトコル、例えば、3GPP TS 36.211、3GPP TS 36.212、または3GPP TS 36.213を参照されたい。本発明のこの実施形態では、詳細は説明しない。
【０１２０】
ステップ509：スモールセルは、第1の協調活性化リクエストに従って、第1のセルのPDSCH上でダウンリンクデータメッセージを送信する。
【０１２１】
第1の協調活性化リクエストは、第1のセルに、マクロ基地局と共に、協調端末をPDCCH、PDSCH、およびPUSCH上に協調スケジューリングするように指示するために使用されるため、スモールセルは、PDSCHリソースを第1の協調端末に割り当て得る。したがって、スモールセルは、第1のセルのPDSCH上でダウンリンクデータメッセージを協調端末に送信し得る。
【０１２２】
本発明のこの実施形態では、スモールセルは、PDCCHリソースを協調端末に独立して割り当ててもよい。マクロ基地局は、制御プレーンとデータプレーンとの統合を確実にするために、スモールセルの第1のセルのPDCCH上で送信された制御メッセージを解析するように協調端末に指示するために、第1の協調活性化リクエストを使用して協調端末上の協調機能を活性化する。
【０１２３】
ステップ510：協調端末は、制御メッセージに従って、第1のセルのPDSCH上でダウンリンクデータメッセージを受信し、ダウンリンクデータメッセージを解析する。
【０１２４】
ステップ507において、協調端末は、制御メッセージを受信し、制御メッセージは、ダウンリンクデータメッセージを受信するために使用される関連するパラメータ（例えば、第1のセルのPDSCHロケーションを示すパラメータ）を伝え得る。したがって、協調端末は、制御メッセージに従って、第1のセルのPDSCH上でダウンリンクデータメッセージを受信し、ダウンリンクデータメッセージを解析する。具体的なプロセスについては、関連するプロトコル、例えば、3GPP TS 36.211、3GPP TS 36.212、または3GPP TS 36.213を参照されたい。本発明のこの実施形態では、詳細は説明しない。
【０１２５】
ステップ511：協調端末は、制御メッセージに従って、第1のセルのPUSCH上でアップリンクデータメッセージを送信する。
【０１２６】
ステップ503において、マクロ基地局は、スモールセルの第1のセルとマクロ基地局とがPDCCH、PDSCH、およびPUSCH上に協調スケジューリングを行うことができると判定する。ステップ507において、協調端末は、制御メッセージを受信し、制御メッセージは、アップリンクデータメッセージを送信するために使用される関連するパラメータ（例えば、第1のセルのPUSCHロケーションを示すパラメータ）を伝え得る。したがって、協調端末は、制御メッセージに従って、第1のセルのPUSCH上でアップリンクデータメッセージを送信し得る。
【０１２７】
ステップ512：スモールセルは、協調端末によって送信されたアップリンクデータメッセージを、第1の協調活性化リクエストに従って第1のセルのPUSCH上で受信し、アップリンクデータメッセージを解析する。
【０１２８】
ステップ513：スモールセルは、協調端末が協調ステートを維持することができるかどうか、を判定する。
【０１２９】
ステップ512において、アップリンクデータメッセージは、協調端末によって測定されたチャネルパラメータを含み得、スモールセルは、予め設定された協調スケジューリングアルゴリズムに従って、協調端末が協調ステートを維持することができるかどうか、を判定し得ることに留意するべきである。協調スケジューリングアルゴリズムは、端末によって計測されたチャネルパラメータ、例えば、セル動的ポイント選択アルゴリズムとも称されるDPSアルゴリズムに基づいて決定され得る。端末によって測定されたチャネルパラメータは、アップリンクデータメッセージ内で伝えられる。具体的な計算プロセスについては、関連技術を参照されたい。本発明のこの実施形態では、詳細は説明しない。
【０１３０】
実際の適用では、スモールセルは、マクロ基地局に、アップリンクデータメッセージ内で伝えられたチャネルパラメータを報告し得、マクロ基地局は、協調端末が協調ステートを維持することができるかどうか、を判定する。マクロ基地局が、協調端末が協調ステートを維持することができるかどうか、を判定するプロセスについては、関連技術を参照されたい。本発明では、詳細は説明しない。
【０１３１】
ステップ514：協調端末が協調ステートを維持することができないとき、スモールセルは、第1の非活性化通知をマクロ基地局に送信し、第1の非活性化通知は、マクロ基地局に協調スケジューリングを停止するように指示するために使用される。
【０１３２】
マクロ基地局は、第1の非活性化通知を受信した後、協調スケジューリングを停止し得る。
【０１３３】
ステップ515：スモールセルは、非活性化通知を協調端末に送信し、第2の非活性化通知は、協調端末に協調スケジューリングを停止するよう指示するために使用される。
【０１３４】
第2の非活性化通知を受信した後、協調端末は、協調端末の協調スケジューリング機能をディセーブルし得、協調スケジューリング停止し得る。本発明のこの実施形態では、協調端末は、協調スケジューリング機能を実行するように構成された、協調スケジューリングモジュールを備え得る。非活性化通知を受信した後、協調スケジューリングモジュールは、協調スケジューリング機能を無効にするためにディセーブルされる。この場合、同じように、協調端末上でハンドオーバが発生するが、協調端末は認識せず、このことはハンドオーバの主要性能評価指数（英語：Key Performance Indicator、略してKPI）には影響しない。
【０１３５】
その結果、本発明のこの実施形態で提供される協調スケジューリング方法によれば、スモールセルが協調端末にPDCCHリソースを割り当てるということを実施するために、スモールセルは、第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０１３６】
第2の態様では、第1のセルとマクロ基地局とが、協調端末をPDCCHおよびPDSCH上に協調スケジューリングすると想定して、本発明の一実施形態は、協調スケジューリング方法を提供する。方法は、図1−1または図1−2に示す実装環境に適用される。図6Aおよび図6Bに示すように、方法は、以下のステップを含んでいる。
【０１３７】
ステップ601：第1のセルが活性化された後、スモールセルは、第1のセルのセル設定パラメータをマクロ基地局に報告する。
【０１３８】
ステップ601については、ステップ501を参照されたい。本発明のこの実施形態では、詳細は説明しない。
【０１３９】
ステップ602：協調ステートに入ることができる端末があると判定するとき、マクロ基地局は、協調スケジューリングを行う必要がある第1のセルを決定する。
【０１４０】
ステップ602については、ステップ502を参照されたい。本発明のこの実施形態では、詳細は説明しない。
【０１４１】
ステップ603：マクロ基地局は、第1の協調活性化リクエストおよび第2の協調活性化リクエストを生成する。
【０１４２】
本発明のこの実施形態では、マクロ基地局の各チャネル、例えばPDCCH、PDSCH、およびPUSCHの状態に従って、マクロ基地局は、協調スケジューリングされる必要があるチャネルを決定し得る。例えば、この実施形態では、マクロ基地局が、マクロ基地局のチャネル状態に従って、スモールセルの第1のセルとマクロ基地局とがPDCCHおよびPDSCH上に協調スケジューリングを行うことができると判定することを想定して、PDCCHおよびPDSCHの両方が、協調スケジューリングされる必要があり、第1の協調活性化リクエストは、第1のセルに、マクロ基地局と共に、協調端末をPDCCHおよびPDSCH上に協調スケジューリングするように指示するために使用される。それに対応して、第2の協調活性化リクエストは、協調端末に、PDCCHおよびPDSCH上で、第1のセルとマクロ基地局とによって行われた協調スケジューリングを受け入れるように指示するために使用される。
【０１４３】
ステップ604：基地局は、第1の協調活性化リクエストを、第1のセルを管理するスモールセルに送信する。
【０１４４】
第1の協調活性化リクエストは、第1のセルに、マクロ基地局と共に、協調端末をPDCCHおよびPDSCH上に協調スケジューリングするように指示するために使用される。スモールセルは、第1の協調活性化リクエストに従って、スモールセルの協調機能を活性化し得る。第1の協調活性化リクエストは、協調端末の識別子を含み得る。
【０１４５】
ステップ605：マクロ基地局は、第2の協調活性化リクエストを、協調スケジューリングされる必要がある協調端末に送信する。
【０１４６】
ステップ605については、ステップ505を参照されたい。本発明のこの実施形態では、詳細は説明しない。
【０１４７】
ステップ606：スモールセルは、第1の協調活性化リクエストに従って、第1のセルのPDCCH上で制御メッセージを送信する。
【０１４８】
最初に、スモールセルは、第1の協調活性化リクエストに従って、スモールセルの協調機能を活性化する。第1の協調活性化リクエストは、第1のセルに、マクロ基地局と共に、協調端末をPDCCHおよびPDSCH上に協調スケジューリングするように指示するために使用されるため、スモールセルは、PDCCHリソースを協調端末に割り当て得る。したがって、スモールセルは、第1の協調活性化リクエストに従って、第1のセルのPDCCH上で制御メッセージを送信し得る。
【０１４９】
ステップ607：協調端末は、第1のセルを管理するスモールセルによって送信された制御メッセージを、第2の協調活性化リクエストに従って第1のセルのPDCCH上で受信する。
【０１５０】
ステップ607については、ステップ507を参照されたい。本発明のこの実施形態では、詳細は説明しない。
【０１５１】
ステップ608：協調端末は、制御メッセージを解析する。
【０１５２】
具体的な解析プロセスについては、関連するプロトコル、例えば、3GPP TS 36.211、3GPP TS 36.212、または3GPP TS 36.213を参照されたい。本発明のこの実施形態では、詳細は説明しない。
【０１５３】
ステップ609：スモールセルは、第1の協調活性化リクエストに従って、第1のセルのPDSCH上でダウンリンクデータメッセージを送信する。
【０１５４】
第1の協調活性化リクエストは、第1のセルに、マクロ基地局と共に、協調端末をPDCCH、およびPDSCH上に協調スケジューリングするように指示するために使用されるため、スモールセルは、PDSCHリソースを第1の協調端末に割り当て得る。したがって、スモールセルは、第1のセルのPDSCH上でダウンリンクデータメッセージを協調端末に送信し得る。
【０１５５】
本発明のこの実施形態では、スモールセルは、PDCCHリソースを協調端末に独立して割り当ててもよい。マクロ基地局は、ダウンリンク制御プレーンとデータプレーンとの統合を確実にするために、スモールセルの第1のセルのPDCCH上で送信された制御メッセージを解析するように協調端末に指示するために、第1の協調活性化リクエストを使用して協調端末上の協調機能を活性化する。
【０１５６】
ステップ610：協調端末は、制御メッセージに従って、第1のセルのPDSCH上でダウンリンクデータメッセージを受信し、ダウンリンクデータメッセージを解析する。
【０１５７】
ステップ610については、ステップ510を参照されたい。本発明のこの実施形態では、詳細は説明しない。
【０１５８】
ステップ611：協調端末は、マクロ基地局のPUSCH上でアップリンクデータメッセージを送信する。
【０１５９】
ステップ603において、マクロ基地局は、スモールセルの第1のセルとマクロ基地局とがPDCCHおよびPDSCH上に協調スケジューリングを行うことができるが、PUSCH上には協調スケジューリングを行うことができないと判定する。したがって、協調端末は、マクロ基地局のPUSCH上でアップリンクデータメッセージを送信し得る。
【０１６０】
ステップ612：マクロ基地局は、協調端末によって送信されたアップリンクデータメッセージを、マクロ基地局のPUSCH上で受信し、アップリンクデータメッセージを解析する。
【０１６１】
ステップ613：マクロ基地局は、協調端末が協調ステートを維持することができるかどうか、を判定する。
【０１６２】
ステップ612において、アップリンクデータメッセージは、協調端末によって測定されたチャネルパラメータを含み得、マクロ基地局は、予め設定された協調スケジューリングアルゴリズムに従って、協調端末が協調ステートを維持することができるかどうか、を判定し得ることに留意するべきである。協調スケジューリングアルゴリズムは、端末によって計測されたチャネルパラメータ、例えば、セル動的ポイント選択アルゴリズムとも称されるDPSアルゴリズムに基づいて決定され得る。端末によって測定されたチャネルパラメータは、アップリンクデータメッセージ内で伝えられる。具体的な計算プロセスについては、関連技術を参照されたい。本発明のこの実施形態では、詳細は説明しない。
【０１６３】
ステップ614：協調端末が協調ステートを維持できないとき、マクロ基地局は、スモールセルおよび協調端末に非活性化リクエストを別々に送信する。
【０１６４】
協調端末が協調ステートを維持できないとき、マクロ基地局は、スモールセルおよび協調端末に非活性化リクエストを別々に送信し、非活性化リクエストは、スモールセルおよび協調端末に協調スケジューリングを停止するよう指示するために使用される。非活性化リクエストを受信した後、マクロ基地局およびスモールセルは、それぞれの協調スケジューリング機能をディセーブルし、協調スケジューリングを停止する。協調端末に送信された非活性化リクエストは、第1のセルのPCIを含んでおり、スモールセルに送信された非活性化リクエストは、協調端末の端末識別子を含んでいる。非活性化通知を受信した後、協調端末は、協調端末の協調スケジューリング機能をディセーブルし得、協調スケジューリングを停止し得る。本発明のこの実施形態では、協調端末は、協調スケジューリング機能を実行するように構成された、協調スケジューリングモジュールを備え得る。非活性化通知を受信した後、協調スケジューリングモジュールは、協調スケジューリング機能を無効にするためにディセーブルされる。この場合、同じように、協調端末上でハンドオーバが発生するが、協調端末は認識せず、このことはKPIには影響しない。
【０１６５】
その結果、本発明のこの実施形態で提供される協調スケジューリング方法によれば、スモールセルが協調端末にPDCCHリソースを割り当てるということを実施するために、スモールセルは、第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０１６６】
第3の態様では、第1のセルとマクロ基地局とが、協調端末をPDCCHおよびPUSCH上に協調スケジューリングすると想定して、本発明の一実施形態は、協調スケジューリング方法を提供する。方法は、図1−1または図1−2に示す実装環境に適用される。図7Aおよび図7Bに示すように、方法は、以下のステップを含んでいる。
【０１６７】
ステップ701：第1のセルが活性化された後、スモールセルは、第1のセルのセル設定パラメータをマクロ基地局に報告する。
【０１６８】
ステップ701については、ステップ501を参照されたい。本発明のこの実施形態では、詳細は説明しない。
【０１６９】
ステップ702：協調ステートに入ることができる端末があると判定するとき、マクロ基地局は、協調スケジューリングを行う必要がある第1のセルを決定する。
【０１７０】
ステップ702については、ステップ502を参照されたい。本発明のこの実施形態では、詳細は説明しない。
【０１７１】
ステップ703：マクロ基地局は、第1の協調活性化リクエストおよび第2の協調活性化リクエストを生成する。
【０１７２】
本発明のこの実施形態では、マクロ基地局の各チャネル、例えばPDCCH、PDSCH、およびPUSCHの状態に従って、マクロ基地局は、協調スケジューリングされる必要があるチャネルを決定し得る。例えば、この実施形態では、マクロ基地局が、マクロ基地局のチャネル状態に従って、スモールセルの第1のセルとマクロ基地局とがPDCCHおよびPUSCH上に協調スケジューリングを行うことができると判定することを想定して、PDCCHおよびPUSCHの両方が、協調スケジューリングされる必要があり、第1の協調活性化リクエストは、第1のセルに、マクロ基地局と共に、協調端末をPDCCHおよびPUSCH上に協調スケジューリングするように指示するために使用される。それに対応して、第2の協調活性化リクエストは、協調端末に、PDCCHおよびPUSCH上で、第1のセルとマクロ基地局とによって行われた協調スケジューリングを受け入れるように指示するために使用される。
【０１７３】
ステップ704：マクロ基地局は、第1の協調活性化リクエストを、第1のセルを管理するスモールセルに送信する。
【０１７４】
第1の協調活性化リクエストは、第1のセルに、マクロ基地局と共に、協調端末をPDCCHおよびPUSCH上に協調スケジューリングするように指示するために使用される。スモールセルは、第1の協調活性化リクエストに従って、スモールセルの協調機能を活性化し得る。第1の協調活性化リクエストは、協調端末の識別子を含み得る。
【０１７５】
ステップ705：マクロ基地局は、第2の協調活性化リクエストを、協調スケジューリングされる必要がある協調端末に送信する。
【０１７６】
ステップ501において、スモールセルは、第1のセルが活性化された後、第1のセルのセル設定パラメータをマクロ基地局に報告しており、セル設定パラメータは、第1のセルのPCIを含んでおり、ステップ502において、第1のセルが協調スケジューリングを行うことができると判定される。したがって、マクロ基地局は、予め記憶されたセル設定パラメータから第1のセルのPCIを取得し、PCIを伝える第2の協調活性化リクエストを生成し、第2の協調活性化リクエストを協調端末に送信する。
【０１７７】
実際の適用では、第2の協調活性化リクエストは、送信のためのRRC：無線リソース制御（英語：Radio Resource Control、略してRRC）メッセージ内で伝えられ得る。
【０１７８】
ステップ706：スモールセルは、第1の協調活性化リクエストに従って、第1のセルのPDCCH上で制御メッセージを送信する。
【０１７９】
最初に、スモールセルは、第1の協調活性化リクエストに従って、スモールセルの協調機能を活性化する。第1の協調活性化リクエストは、第1のセルに、マクロ基地局と共に、協調端末をPDSCHおよびPUSCH上に協調スケジューリングするように指示するために使用されるため、スモールセルは、PDCCHリソースを協調端末に割り当て得る。したがって、スモールセルは、第1の協調活性化リクエストに従って、第1のセルのPDCCH上で制御メッセージを送信し得る。
【０１８０】
ステップ707：協調端末は、第1のセルを管理するスモールセルによって送信された制御メッセージを、第2の協調活性化リクエストに従って第1のセルのPDCCH上で受信する。
【０１８１】
ステップ707については、ステップ507を参照されたい。本発明のこの実施形態では、詳細は説明しない。
【０１８２】
ステップ708：協調端末は、制御メッセージを解析する。
【０１８３】
具体的な解析プロセスについては、関連するプロトコル、例えば、3GPP TS 36.211、3GPP TS 36.212、または3GPP TS 36.213を参照されたい。本発明のこの実施形態では、詳細は説明しない。
【０１８４】
ステップ709：マクロ基地局は、ダウンリンクデータメッセージを、マクロ基地局のPDSCH上で協調端末に送信する。
【０１８５】
協調活性化リクエストは、第1のセルに、マクロ基地局と共に、協調端末をPDCCHおよびPUSCH上に協調スケジューリングするように指示するために使用されるが、PDSCH上に協調スケジューリングを行うことはできないため、マクロ基地局は、PDCCHリソースを協調端末に割り当て得る。したがって、マクロ基地局は、ダウンリンクデータメッセージを、マクロ基地局のPDSCH上で協調端末に送信し得る。
【０１８６】
本発明のこの実施形態では、スモールセルは、PDCCHリソースを協調端末に独立して割り当ててもよい。マクロ基地局は、アップリンク制御プレーンとデータプレーンの統合を確実にするために、スモールセルの第1のセルのPDCCH上で送信された制御メッセージを解析するように協調端末に指示するために、第1の協調活性化リクエストを使用して協調端末上の協調機能を活性化する。
【０１８７】
ステップ710：協調端末は、マクロ基地局のPDSCH上でダウンリンクデータメッセージを受信し、ダウンリンクデータメッセージを解析する。
【０１８８】
ステップ711：協調端末は、制御メッセージに従って、第1のセルのPUSCH上でアップリンクデータメッセージを送信する。
【０１８９】
ステップ703において、マクロ基地局は、スモールセルの第1のセルとマクロ基地局とがPDCCHおよびPUSCH上に協調スケジューリングを行うことができると判定する。ステップ707において、協調端末は、制御メッセージを受信し、制御メッセージは、アップリンクデータメッセージを送信するために使用される関連するパラメータ（例えば、第1のセルのPUSCHロケーションを示すパラメータ）を伝え得る。したがって、協調端末は、制御メッセージに従って、第1のセルのPUSCH上でアップリンクデータメッセージを送信し得る。
【０１９０】
ステップ712：スモールセルは、協調端末によって送信されたアップリンクデータメッセージを、第1の協調活性化リクエストに従って第1のセルのPUSCH上で受信し、アップリンクデータメッセージを解析する。
【０１９１】
ステップ713：スモールセルは、協調端末が協調ステートを維持することができるかどうか、を判定する。
【０１９２】
ステップ712において、アップリンクデータメッセージは、協調端末によって測定されたチャネルパラメータを含み得、スモールセルは、予め設定された協調スケジューリングアルゴリズムに従って、協調端末が協調ステートを維持することができるかどうか、を判定し得ることに留意するべきである。協調スケジューリングアルゴリズムは、端末によって計測されたチャネルパラメータ、例えば、セル動的ポイント選択アルゴリズムとも称されるDPSアルゴリズムに基づいて決定され得る。端末によって測定されたチャネルパラメータは、アップリンクデータメッセージ内で伝えられる。具体的な計算プロセスについては、関連技術を参照されたい。本発明のこの実施形態では、詳細は説明しない。
【０１９３】
ステップ714：協調端末が協調ステートを維持することができないとき、スモールセルは、第1の非活性化通知をマクロ基地局に送信し、第1の非活性化通知は、マクロ基地局に協調スケジューリングを停止するように指示するために使用される。
【０１９４】
マクロ基地局は、第1の非活性化通知を受信した後、協調スケジューリングを停止し得る。
【０１９５】
ステップ715：スモールセルは、第2の非活性化通知を協調端末に送信し、第2の非活性化通知は、協調端末に協調スケジューリングを停止するよう指示するために使用される。
【０１９６】
第2の非活性化通知を受信した後、協調端末は、協調端末の協調スケジューリング機能をディセーブルし得、協調スケジューリングを停止し得る。第2の非活性化通知を受信した後、協調端末は、協調端末の協調スケジューリング機能をディセーブルし得、協調スケジューリング停止し得る。本発明のこの実施形態では、協調端末は、協調スケジューリング機能を実行するように構成された、協調スケジューリングモジュールを備え得る。非活性化通知を受信した後、協調スケジューリングモジュールは、協調スケジューリング機能を無効にするためにディセーブルされる。この場合、同じように、協調端末上でハンドオーバが発生するが、協調端末は認識せず、このことはKPIには影響しない。
【０１９７】
その結果、本発明のこの実施形態で提供される協調スケジューリング方法によれば、スモールセルが協調端末にPDCCHリソースを割り当てるということを実施するために、スモールセルは、第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０１９８】
ステップ503、603または703において、マクロ基地局、スモールセル、および協調端末の時間整合性を確保するため、マクロ基地局によって生成された第1の協調活性化リクエストは、合意された送信時間間隔（英語：Transmission timing interval、略してTTI）識別子を含んでおり、第2の協調活性化リクエストも、合意されたTTI識別子を含んでいる。第1の協調活性化リクエストおよび第2の協調活性化リクエストをスモールセルおよび協調端末に送信するとき、マクロ基地局は、マクロ基地局、スモールセル、および協調端末が同時にTTI機能を有効にするように、TTIを設定し得る。スモールセルは、マクロ基地局によって指定されたTTIにおいて、PDCCHおよびPDSCH上でデータを配信し得、PUSCH上でデータを受信し得、協調端末は、マクロ基地局によって指定されたTTIにおいて、PDCCH上のデータを解析し、PDSCH上でデータを受信し、PUSCH上でデータを送信する。
【０１９９】
例えば、506、606、または706において、第1の協調活性化リクエストに従ってスモールセルが第1のセルのPDCCH上で制御メッセージを送信するプロセスは、
合意されたTTI識別子によって示されたTTIにおいて、第1のセルのPDCCH上で制御メッセージを送信するステップを含み得る。
【０２００】
例えば、507、607、または707において、協調端末が、第2の協調活性化リクエストに従って第1のセルのPDCCH上で、第1のセルを管理するスモールセルによって送信された制御メッセージを受信するプロセスは、
合意されたTTI識別子によって示されたTTIにおいて、第1のセルのPDCCH上で、第1のセルを管理するスモールセルによって送信された制御メッセージを受信するステップを含み得る。
【０２０１】
本発明の実施形態において提供される協調スケジューリング方法のステップのシーケンスは、適切に調整してもよく、条件に従ってステップを追加または削除してもよい。本発明で開示されている技術範囲内で当業者が容易に考え付く一切の変形は、本発明の保護範囲内に含まれるものとする。本明細書では、詳細は説明しない。
【０２０２】
関連技術において、HetNetがインターネットプロトコル無線アクセスネットワーク（英語：Internet Protocol Radio Access Network、略してIPRAN）（IPRANは、IPベーストランスポートネットワークとも称される）、例えば図1−2のネットワーク構造を使用してネットワーク形成されているとき、PDCCHリソースについて、スモールセルはイーサネット（登録商標）を使用してマクロ基地局に問い合わせし、イーサネット（登録商標）の遅延は、協調スケジューリングプロセス全体に大きく影響する。遅延が相対的に大きいとき、マクロ基地局によって割り当てられたPDCCHリソースは、スモールセルに即座に適用することができず、このスケジューリング結果が、協調スケジューリング全体のアルゴリズムのより複雑化、協調スケジューリングの信頼性の低下、PDCCHリソースを浪費する可能性の増大などをもたらす。
【０２０３】
本発明の実施形態では、協調端末の制御プレーンおよびデータプレーン両方がスモールセル上で処理され、それによって、スモールセルのPDCCHリソースを十分に活用し、マクロ基地局のPDCCHリソースが制限される可能性を低減し、ネットワーク形成中のIPRANの全体のアルゴリズム複雑度を低減し、協調スケジューリング信頼性を向上させる。また、本発明の実施形態では、スモールセルのPDCCHリソースが、PDSCHリソースを占有する必要なしに十分に活用され、ダウンリンクネットワーク容量が影響を受けない。また、協調中にPDCCHデータを交換する必要がなく、協調アルゴリズム複雑度が低減される。
【０２０４】
本発明の実施形態で提供される協調スケジューリング方法は、別の実施態様シナリオ、例えば、MCEを使用してPDCCHパラメータを通知するシナリオ、HetNetにおいてマクロ基地局とスモールセルとについて周波数間ネットワーク形成が行われているときに協調セルによってPDCCHを共有するシナリオ、またはマクロ基地局が互いに協調するときに協調セルによってPDCCHを共有するシナリオにも、適用され得ることに留意するべきである。具体的な適用プロセスについては、前述の実施形態を参照することとし、また、詳細は本発明の実施形態では説明しない。
【０２０５】
本発明の一実施形態は、協調スケジューリング装置80を提供し、装置は、スモールセルに適用される。図8−1に示すように、装置は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と
を備える。
【０２０６】
その結果、本発明のこの実施形態で提供される協調スケジューリング装置において、スモールセルが協調端末にPDCCHリソースを割り当てるということを実施するために、第1の送信ユニットは、受信ユニットによって受信された第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０２０７】
随意に、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCH、PDSCH、および物理アップリンク共有チャネル（PUSCH）上に協調スケジューリングするように指示するために使用される。制御メッセージは、第1のセルに、マクロ基地局と共に、協調端末をPDSCH上に協調スケジューリングするように指示するために使用される。図8−2に示すように、装置80は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と、
制御メッセージに従って協調端末が第1のセルのPDSCH上でダウンリンクデータメッセージを受信するように、第1の協調活性化リクエストに従って、第1のセルのPDSCH上で協調端末にダウンリンクデータメッセージを送信するように構成された、第2の送信ユニット803と
を備え得る。
【０２０８】
随意に、第1の協調活性化リクエストは、第1のセルに、マクロ基地局と共に、協調端末をPDCCHおよびPUSCH上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される。制御メッセージは、第1のセルに、マクロ基地局と共に、協調端末をPUSCH上に協調スケジューリングするように指示するために使用される。図8−3に示すように、装置80は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と、
第1の協調活性化リクエストに従って、第1のセルのPUSCH上で、協調端末によって送信されたアップリンクデータメッセージを受信するように構成された、第2の受信ユニット804であって、アップリンクデータメッセージは、制御メッセージに従って協調端末によって送信される、第2の受信ユニット804と
を備え得る。
【０２０９】
随意に、図8−4に示すように、装置80は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と、
第1のセルが活性化された後、セル設定パラメータをマクロ基地局に報告するように構成された、報告ユニット805であって、セル設定パラメータは、物理セル識別子（PCI）を含み、マクロ基地局は、セル設定パラメータに従って、PCIを伝える第1の活性化リクエストを生成し得る、報告ユニット805と
を備え得る。
【０２１０】
随意に、第1の協調活性化リクエストは、協調端末の識別子を含み、図8−5に示すように、装置80は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と、
第1の協調活性化リクエストに従って制御メッセージを生成するように構成された、生成ユニット806であって、制御メッセージは、協調端末の識別子を含む、生成ユニット806と
を備え得る。
【０２１１】
随意に、アップリンクデータメッセージは、調整端末によって測定されたチャネルパラメータを含み、図8−6に示すように、装置80は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と、
第1の協調活性化リクエストに従って、第1のセルのPUSCH上で、協調端末によって送信されたアップリンクデータメッセージを受信するように構成された、第2の受信ユニット804であって、アップリンクデータメッセージは、制御メッセージに従って協調端末によって送信される、第2の受信ユニット804と、
チャネルパラメータに従って、協調端末が協調ステートを維持することができるかどうか、を判定するように構成された、判定ユニット807と、
協調端末が協調ステートを維持することができないとき、第1の非活性化通知をマクロ基地局に送信するように構成された、第3の送信ユニット808であって、第1の非活性化通知は、マクロ基地局に、協調スケジューリングを停止するように指示するために使用される、第3の送信ユニット808と、
非活性化通知を協調端末に送信するように構成された、第4の送信ユニット809であって、第2の非活性化通知は、協調端末に、協調スケジューリングを停止するように指示するために使用される、第4の送信ユニット809と
を備え得る。
【０２１２】
随意に、第1の協調活性化リクエストは、合意された送信時間間隔（TTI）識別子を含み、第1の送信ユニット802は、
合意されたTTI識別子によって示されたTTIにおいて、第1のセルのPDCCH上で制御メッセージを送信する
ように構成される。
【０２１３】
その結果、本発明のこの実施形態で提供される協調スケジューリング装置において、スモールセルが協調端末にPDCCHリソースを割り当てるということを実施するために、第1の送信ユニットは、受信ユニットによって受信された第1の協調活性化リクエストに従って、スモールセルによって管理される第1のセルのPDCCH上で制御メッセージを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０２１４】
本発明は、協調スケジューリング装置90を提供し、装置は、協調端末に適用される。図9−1に示すように、方法は、
マクロ基地局によって送信された第2の協調活性化リクエストを受信するように構成された、第1の受信ユニット901であって、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルであり、第2の協調活性化リクエストは、第1のセルのPCIを含む、第1の受信ユニット901と、
第2の協調活性化リクエストに従って、第1のセルのPDCCH上で、第1のセルを管理するスモールセルによって送信された制御メッセージを受信するように構成された、第2の受信ユニット902と
を備える。
【０２１５】
随意に、第2の協調活性化リクエストは、合意された送信時間間隔（TTI）識別子を含み、第2の受信ユニット902は、合意されたTTI識別子によって示されたTTIにおいて、第1のセルのPDCCH上で、第1のセルを管理するスモールセルによって送信された制御メッセージを受信するように構成される。
【０２１６】
その結果、本発明のこの実施形態で提供される協調スケジューリング装置において、スモールセルが協調端末にPDCCHリソースを割り当てるということを実施するために、第2の受信ユニットは、第1の受信ユニットによって受信された第2の協調活性化リクエストに従って、第1のセルのPDCCH上で、第1のセルを管理するスモールセルによって送信された制御メッセージを受信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０２１７】
随意に、図9−2に示すように、第2の受信ユニット902は、
PCIに従って、スモールセルの送信周波数チャネル番号、第1のセルのセル帯域幅、および第1のセルのPDCCHシンボル数を取得するように構成された、取得サブユニット9021と、
送信周波数チャネル番号、セル帯域幅、およびPDCCHシンボル数に従って、第1のセルのPDCCHロケーションを決定するように構成された、決定サブユニット9022と、
第1のセルのPDCCHロケーションにおいて、第1のセルを管理するスモールセルによって送信された制御メッセージを受信するように構成された、受信サブユニット9023と
を備える。
【０２１８】
取得サブユニット9021は、
予め設定された送信周波数チャネル番号を取得し、
PCIに対応するセルの、測定されたセル帯域幅を、第1のセルのセル帯域幅として使用し、
第1のセルのPDCCHシンボル数として、PCIに対応するセルのものであり、PCIに対応するセルの物理制御フォーマット指示チャネル（PCFICH）上で測定された、PDCCHシンボル数を使用する
ように構成される。
【０２１９】
その結果、本発明のこの実施形態で提供される協調スケジューリング装置において、スモールセルが協調端末にPDCCHリソースを割り当てるということを実施するために、第2の受信ユニットは、第1の受信ユニットによって受信された第2の協調活性化リクエストに従って、第1のセルのPDCCH上で、第1のセルを管理するスモールセルによって送信された制御メッセージを受信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０２２０】
本発明の一実施形態は、協調スケジューリング装置01を提供し、装置は、マクロ基地局に適用される。図10−1に示すように、装置は、
協調ステートに入ることができる端末があると判定するとき、協調スケジューリングを行う必要がある第1のセルを決定するように構成された、決定ユニット011と、
第1の協調活性化リクエストに従ってスモールセルが第1のセルのPDCCH上で制御メッセージを送信するように、第1のセルを管理するスモールセルに第1の協調活性化リクエストを送信するように構成された、第1の送信ユニット012であって、第1の協調活性化リクエストは、スモールセルによって管理され記第1のセルに、マクロ基地局と共に、協調端末をPDCCH上に協調スケジューリングするように指示するために使用される、第1の送信ユニット012と、
第2の協調活性化リクエストに従って協調端末が第1のセルのPDCCH上で制御メッセージを受信するように、第2の協調活性化リクエストを、協調スケジューリングされる必要がある協調端末に送信するように構成された、第2の送信ユニット013であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む、第2の送信ユニット013と
を備える。
【０２２１】
その結果、本発明のこの実施形態で提供される協調スケジューリング装置では、スモールセルが協調端末にPDCCHリソースを割り当てるということを実施するために、協調基地局が、第1のセルを管理するスモールセルによって送信された制御メッセージを、マクロ基地局によって送信された第2の協調活性化リクエストに従って、第1のセルのPDCCH上で受信し得るように、第1の送信ユニットは、第1のセルを管理するスモールセルに第1の協調活性化リクエストを送信し得、かつ、第2の送信ユニットは、協調端末に第2の協調活性化リクエストを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０２２２】
随意に、図10−2に示すように、装置01は、
協調ステートに入ることができる端末があると判定するとき、協調スケジューリングを行う必要がある第1のセルを決定するように構成された、決定ユニット011と、
第1の協調活性化リクエストに従ってスモールセルが第1のセルのPDCCH上で制御メッセージを送信するように、第1のセルを管理するスモールセルに第1の協調活性化リクエストを送信するように構成された、第1の送信ユニット012であって、第1の協調活性化リクエストは、スモールセルによって管理される第1のセルに、マクロ基地局と共に、協調端末をPDCCH上に協調スケジューリングするように指示するために使用される、第1の送信ユニット012と、
第2の協調活性化リクエストに従って協調端末が第1のセルのPDCCH上で制御メッセージを受信するように、第2の協調活性化リクエストを、協調スケジューリングされる必要がある協調端末に送信するように構成された、第2の送信ユニット013であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む、第2の送信ユニット013と、
協調スケジューリングが行われる必要があるとき、第1の協調活性化リクエストを生成するように構成された、生成ユニット014であって、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCHおよび物理アップリンク共有チャネル（PUSCH）上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される、生成ユニット014と
を備え得る。
【０２２３】
第1の協調活性化リクエストは、合意された送信時間間隔（TTI）識別子を含み、第2の協調活性化リクエストは、合意された送信時間間隔（TTI）識別子を含む。
【０２２４】
その結果、本発明のこの実施形態で提供される協調スケジューリング装置では、スモールセルが協調端末にPDCCHリソースを割り当てるということを実施するために、協調基地局が、第1のセルを管理するスモールセルによって送信された制御メッセージを、マクロ基地局によって送信された第2の協調活性化リクエストに従って、第1のセルのPDCCH上で受信し得るように、第1の送信ユニットは、第1のセルを管理するスモールセルに第1の協調活性化リクエストを送信し得、かつ、第2の送信ユニットは、協調端末に第2の協調活性化リクエストを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【０２２５】
本発明の一実施形態は、協調スケジューリングシステムを提供し、システムは、マクロ基地局と、スモールセルと、端末とを備え得る。スモールセルは、図8−1から図8−6のいずれか1つに示す協調スケジューリング装置80を備える。端末は、図9−1に示す協調スケジューリング装置90を備える。マクロ基地局は、図10−1または図10−2に示す協調スケジューリング装置01を備える。
【０２２６】
本発明の一実施形態は、協調スケジューリング装置02を提供し、装置は、スモールセルに適用される。図11に示すように、装置は、トランスミッタ021と、レシーバ022と、プロセッサ023とを備える。
【０２２７】
トランスミッタ021は、マクロ基地局によって送信された第1の協調活性化リクエストを受信するように構成され、第1の協調活性化リクエストは、スモールセルによって管理される第1のセルに、マクロ基地局と共に、協調端末を物理ダウンリンク制御チャネル（PDCCH）上にスケジューリングするように指示するために使用される。
【０２２８】
レシーバ022は、マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成され、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む。
【０２２９】
随意に、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCH、PDSCH、および物理アップリンク共有チャネル（PUSCH）上に協調スケジューリングするように指示するために使用される。制御メッセージは、第1のセルに、マクロ基地局と共に、協調端末をPDSCH上に協調スケジューリングするように指示するために使用される。マクロ基地局によって送信された第1の協調活性化リクエストを受信した後に、
トランスミッタ021は、制御メッセージに従って協調端末が第1のセルのPDSCH上でダウンリンクデータメッセージを受信するように、第1の協調活性化リクエストに従って、第1のセルのPDSCH上で協調端末にダウンリンクデータメッセージを送信するようにさらに構成される。
【０２３０】
随意に、第1の協調活性化リクエストは、第1のセルに、マクロ基地局と共に、協調端末をPDCCHおよびPUSCH上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される。制御メッセージは、第1のセルに、マクロ基地局と共に、協調端末をPUSCH上に協調スケジューリングするように指示するために使用される。レシーバ022は、第1の協調活性化リクエストに従って、第1のセルのPUSCH上で、協調端末によって送信されたアップリンクデータメッセージを受信するように構成され、アップリンクデータメッセージは、制御メッセージに従って協調端末によって送信される。
【０２３１】
随意に、トランスミッタ021は、第1のセルが活性化された後、セル設定パラメータをマクロ基地局に報告するように構成され、セル設定パラメータは、物理セル識別子（PCI）を含む。
【０２３２】
随意に、第1の協調活性化リクエストは、協調端末の識別子を含み、プロセッサ023は、第1の協調活性化リクエストに従って、制御メッセージを生成するように構成され、制御メッセージは、協調端末の識別子を含む。
【０２３３】
随意に、アップリンクデータメッセージは、協調端末によって測定されたチャネルパラメータを含む。
【０２３４】
プロセッサ023は、チャネルパラメータに従って、協調端末が協調ステートを維持することができるかどうか、を判定するようにさらに構成される。
【０２３５】
トランスミッタ021は、協調端末が協調ステートを維持することができないとき、第1の非活性化通知をマクロ基地局に送信するようにさらに構成され、第1の非活性化通知は、マクロ基地局に協調スケジューリングを停止するように指示するために使用される。
【０２３６】
トランスミッタ021は、非活性化通知を協調端末に送信するようにさらに構成され、第2の非活性化通知は、協調端末に協調スケジューリングを停止するよう指示するために使用される。
【０２３７】
第1の協調活性化リクエストは、合意された送信時間間隔（TTI）識別子を含み、トランスミッタ021は、合意されたTTI識別子によって示されたTTIにおいて、第1のセルのPDCCH上で制御メッセージを送信するように構成される。
【０２３８】
本発明の一実施形態は、協調スケジューリング装置03を提供し、装置は、協調端末に適用される。図12に示すように、装置は、レシーバ031と、トランスミッタ032と、プロセッサ033とを備える。
【０２３９】
レシーバ031は、マクロ基地局によって送信された第2の協調活性化リクエストを受信するように構成され、第2の協調活性化リクエストは、協調端末に、PDCCH上で、第1のセルとマクロ基地局とによって行われた協調スケジューリングを受け入れるように指示するために使用され、第1のセルは、協調スケジューリングを行う必要があり、協調ステートに入ることができる端末があるとマクロ基地局が判定するときに決定されるセルであり、第2の協調活性化リクエストは、第1のセルのPCIを含む。
【０２４０】
レシーバ031は、第1のセルを管理するスモールセルによって送信された制御メッセージを、第2の協調活性化リクエストに従って第1のセルのPDCCH上で受信するようにさらに構成される。
【０２４１】
随意に、プロセッサ033は、PCIに従って、スモールセルの送信周波数チャネル番号、第1のセルのセル帯域幅、および第1のセルのPDCCHシンボル数を取得するように構成される。
【０２４２】
プロセッサ033は、送信周波数チャネル番号、セル帯域幅、およびPDCCHシンボル数に従って第1のセルのPDCCHロケーションを決定するように構成される。
【０２４３】
レシーバ031は、第1のセルのPDCCHロケーションにおいて、第1のセルを管理するスモールセルによって送信された制御メッセージを受信するように構成される。
【０２４４】
随意に、プロセッサ033は、
予め設定された送信周波数チャネル番号を取得し、
PCIに対応するセルの、測定されたセル帯域幅を、第1のセルのセル帯域幅として使用し、
第1のセルのPDCCHシンボル数として、PCIに対応するセルのものであり、PCIに対応するセルの物理制御フォーマット指示チャネル（PCFICH）上で測定された、PDCCHシンボル数を使用する
ように構成される。
【０２４５】
随意に、第2の協調活性化リクエストは、合意された送信時間間隔（TTI）識別子を含み、レシーバ031は、合意されたTTI識別子によって示されたTTIにおいて、第1のセルのPDCCH上で、第1のセルを管理するスモールセルによって送信された制御メッセージを受信するように構成される。
【０２４６】
本発明の一実施形態は、協調スケジューリング装置04を提供し、装置は、マクロ基地局に適用される。図13に示すように、装置は、レシーバ041と、トランスミッタ042と、プロセッサ043とを備える。
【０２４７】
レシーバ043は、協調ステートに入ることができる端末があると判定するとき、協調スケジューリングを行う必要がある第1のセルを決定するように構成される。
【０２４８】
トランスミッタ042は、第1の協調活性化リクエストに従ってスモールセルが第1のセルのPDCCH上で制御メッセージを送信するように、第1のセルを管理するスモールセルに、第1の協調活性化リクエストを送信するように構成され、第1の協調活性化リクエストは、スモールセルによって管理される第1のセルに、マクロ基地局と共に、協調端末をPDCCH上に協調スケジューリングするように指示するために使用される。
【０２４９】
トランスミッタ042は、第2の協調活性化リクエストに従って協調端末が第1のセルのPDCCH上で制御メッセージを受信するように、協調スケジューリングされる必要がある協調端末に第2の協調活性化リクエストを送信するように構成され、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルのPCIを含む。
【０２５０】
随意に、レシーバ043は、
協調スケジューリングが行われる必要があるとき、第1の協調活性化リクエストを生成するようにさらに構成され、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCHおよび物理アップリンク共有チャネル（PUSCH）上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される。
【０２５１】
随意に、第1の協調活性化リクエストは、合意された送信時間間隔（TTI）識別子を含み、第2の協調活性化リクエストは、合意された送信時間間隔（TTI）識別子を含む。
【０２５２】
第10の態様では、本発明は、マクロ基地局と、スモールセルと、端末とを備える、協調スケジューリングシステムを提供する。
【０２５３】
スモールセルは、図11に示す協調スケジューリング装置を備える。
【０２５４】
端末は、図12に示す協調スケジューリング装置を備える。
【０２５５】
マクロ基地局は、図13に示す協調スケジューリング装置を備える。
【０２５６】
当業者には、便宜的かつ簡潔な説明のために、前述のシステム、装置、およびユニットの詳細な作業プロセスについては、前述の方法の実施形態における対応するプロセスを参照し得、詳細は本明細書において再度記載されていないことが明確に理解され得る。
【０２５７】
本願で提供されるいくつかの実施形態では、開示されるシステム、装置、および方法は、別の方法で実施され得ることが理解されるべきである。例えば、記載された装置の実施形態は、単なる一例に過ぎない。例えば、ユニットの区分は、単に論理的な機能区分に過ぎず、実際の実施態様では別の区分であってもよい。例えば、複数のユニットまたは構成要素が、別のシステムに組み合わされるかまたは統合されてもよく、または、いくつかの特徴が無視されるかもしくは実行されなくてもよい。また、いくつかのインタフェースを使用して、表示または議論されている相互結合もしくは直接的結合または通信接続が実施されてもよい。電子的、機械的、または他の形態によって、装置またはユニット間の間接的結合または通信接続が実施されてもよい。
【０２５８】
別個の部品として記載されているユニットは、物理的に別個であってもなくてもよく、また、ユニットとして表示されている部品は、物理的ユニットであってもなくてもよく、1つの場所に配置されていてもよいか、または複数のネットワークユニット上に分散されていてもよい。実施形態のソリューションの目的を実現する実際の要件に従って、ユニットの一部またはすべてが選択されてもよい。
【０２５９】
また、本発明の実施形態における機能ユニットは、1つの処理ユニットに統合されてもよく、またはユニットのそれぞれが、物理的に単独で存在するか、もしくは2つ以上のユニットが1つのユニットに統合されてもよい。統合されたユニットは、ハードウェアの形態で実施されてもよく、またはソフトウェア機能ユニットに付け加えてハードウェアの形態で実施されてもよい。
【０２６０】
通常の当業者であれば、実施形態のすべてまたは一部のステップが、ハードウェア、または関連するハードウェアに命令するプログラムによって実施され得ることを理解し得る。プログラムは、コンピュータ可読記録媒体に記憶され得る。記録媒体には、リードオンリーメモリ、磁気ディスク、または光ディスクが含まれ得る。
【０２６１】
前述の説明は、本発明の単に例示的な実施形態に過ぎず、本発明を限定することを意図するものではない。本発明の趣旨および原理を逸脱することなくなされたいかなる変形、等価な置き換え、および改善も、本発明の保護範囲内にあるものとする。
【符号の説明】
【０２６２】
01  協調スケジューリング装置
02  協調スケジューリング装置
03  協調スケジューリング装置
04  協調スケジューリング装置
011  決定ユニット
012  第1の送信ユニット
013  第2の送信ユニット
014  生成ユニット
021  トランスミッタ
022  レシーバ
023  プロセッサ
031  レシーバ
032  トランスミッタ
033  プロセッサ
041  レシーバ
042  トランスミッタ
043  プロセッサ
80  協調スケジューリング装置
90  協調スケジューリング装置
110  マクロ基地局
120  スモールセル
130  端末
140  コアネットワーク装置
801  第1の受信ユニット
802  第1の送信ユニット
803  第2の送信ユニット
804  第2の受信ユニット
805  報告ユニット
806  生成ユニット
807  判定ユニット
808  第3の送信ユニット
809  第4の送信ユニット
901  第1の受信ユニット
902  第2の受信ユニット
1201  セル
1301  協調端末
9021  取得サブユニット
9022  決定サブユニット
9023  受信サブユニット
【図１−１】
2018532346.tif 000003
【図１−２】
2018532346.tif 000004
【図２】
2018532346.tif 000005
【図３】
2018532346.tif 000006
【図４】
2018532346.tif 000007
【図５−１Ａ】
2018532346.tif 000008
【図５−１Ｂ】
2018532346.tif 000009
【図５−２】
2018532346.tif 000010
【図６Ａ】
2018532346.tif 000011
【図６Ｂ】
2018532346.tif 000012
【図７Ａ】
2018532346.tif 000013
【図７Ｂ】
2018532346.tif 000014
【図８−１】
2018532346.tif 000015
【図８−２】
2018532346.tif 000016
【図８−３】
2018532346.tif 000017
【図８−４】
2018532346.tif 000018
【図８−５】
2018532346.tif 000019
【図８−６】
2018532346.tif 000020
【図９−１】
2018532346.tif 000021
【図９−２】
2018532346.tif 000022
【図１０−１】
2018532346.tif 000023
【図１０−２】
2018532346.tif 000024
【図１１】
2018532346.tif 000025
【図１２】
2018532346.tif 000026
【図１３】
2018532346.tif 000027
【手続補正書】
【提出日】平成30年6月7日(2018.6.7)
【手続補正１】
【補正対象書類名】明細書
【補正対象項目名】００１２
【補正方法】変更
【補正の内容】
【００１２】
随意に、アップリンクデータメッセージは、協調端末によって測定されたチャネルパラメータを含み、第1の協調活性化リクエストに従って、第1のセルのPDCCH上で制御メッセージを送信するステップの後に、方法は、
チャネルパラメータに従って、協調端末が協調ステートを維持することができるかどうかを判定するステップと、
協調端末が協調ステートを維持することができないとき、第1の非活性化通知をマクロ基地局に送信するステップであって、第1の非活性化通知は、マクロ基地局に、協調スケジューリングを停止するように指示するために使用される、ステップと、
第2の非活性化通知を協調端末に送信するステップであって、第2の非活性化通知は、協調端末に、協調スケジューリングを停止するように指示するために使用される、ステップと
をさらに含む。
【手続補正２】
【補正対象書類名】明細書
【補正対象項目名】００２８
【補正方法】変更
【補正の内容】
【００２８】
随意に、アップリンクデータメッセージは、協調端末によって測定されたチャネルパラメータを含み、装置は、
チャネルパラメータに従って、協調端末が協調ステートを維持することができるかどうかを判定するように構成された、判定ユニットと、
協調端末が協調ステートを維持することができないとき、第1の非活性化通知をマクロ基地局に送信するように構成された、第3の送信ユニットであって、第1の非活性化通知は、マクロ基地局に、協調スケジューリングを停止するように指示するために使用される、第3の送信ユニットと、
第2の非活性化通知を協調端末に送信するように構成された、第4の送信ユニットであって、第2の非活性化通知は、協調端末に、協調スケジューリングを停止するように指示するために使用される、第4の送信ユニットと
をさらに備える。
【手続補正３】
【補正対象書類名】明細書
【補正対象項目名】００４２
【補正方法】変更
【補正の内容】
【００４２】
随意に、アップリンクデータメッセージは、協調端末によって測定されたチャネルパラメータを含み、
プロセッサは、チャネルパラメータに従って、協調端末が協調ステートを維持することができるかどうかを判定するようにさらに構成され、
トランスミッタは、協調端末が協調ステートを維持することができないとき、第1の非活性化通知をマクロ基地局に送信するようにさらに構成され、第1の非活性化通知は、マクロ基地局に、協調スケジューリングを停止するように指示するために使用され、
トランスミッタは、第2の非活性化通知を協調端末に送信するようにさらに構成され、第2の非活性化通知は、協調端末に、協調スケジューリングを停止するように指示するために使用され、
第1の協調活性化リクエストは、合意された送信時間間隔（TTI）識別子を含み、トランスミッタは、合意されたTTI識別子によって示されたTTIにおいて、第1のセルのPDCCH上で制御メッセージを送信するように構成される。
【手続補正４】
【補正対象書類名】明細書
【補正対象項目名】００８８
【補正方法】変更
【補正の内容】
【００８８】
その結果、本発明のこの実施形態で提供される協調スケジューリング方法によれば、スモールセルが協調端末にPDCCHリソースを割り当てるということを実施するために、マクロ基地局によって送信された第2の協調活性化リクエストに従って協調端末が第1のセルのPDCCH上で第1のセルを管理するスモールセルによって送信された制御メッセージを受信し得るように、マクロ基地局は、第1のセルを管理するスモールセルに第1の協調活性化リクエストを送信し得、かつ、協調端末に第2の協調活性化リクエストを送信し得る。マクロ基地局のPDCCHリソースが占有されている場合でも、協調端末のための効果的なスケジューリングを確保し、かつ、協調スケジューリングの成功率を確保し、それによって協調スケジューリング効率を向上させるために、協調端末は、スモールセルによって割り当てられたPDCCHリソースを、なお受信することができる。
【手続補正５】
【補正対象書類名】明細書
【補正対象項目名】０１２１
【補正方法】変更
【補正の内容】
【０１２１】
第1の協調活性化リクエストは、第1のセルに、マクロ基地局と共に、協調端末をPDCCH、PDSCH、およびPUSCH上に協調スケジューリングするように指示するために使用されるため、スモールセルは、PDSCHリソースを協調端末に割り当て得る。したがって、スモールセルは、第1のセルのPDSCH上でダウンリンクデータメッセージを協調端末に送信し得る。
【手続補正６】
【補正対象書類名】明細書
【補正対象項目名】０１３３
【補正方法】変更
【補正の内容】
【０１３３】
ステップ515：スモールセルは、第2の非活性化通知を協調端末に送信し、第2の非活性化通知は、協調端末に協調スケジューリングを停止するよう指示するために使用される。
【手続補正７】
【補正対象書類名】明細書
【補正対象項目名】０１３４
【補正方法】変更
【補正の内容】
【０１３４】
第2の非活性化通知を受信した後、協調端末は、協調端末の協調スケジューリング機能をディセーブルし得、協調スケジューリング停止し得る。本発明のこの実施形態では、協調端末は、協調スケジューリング機能を実行するように構成された、協調スケジューリングモジュールを備え得る。第2の非活性化通知を受信した後、協調スケジューリングモジュールは、協調スケジューリング機能を無効にするためにディセーブルされる。この場合、同じように、協調端末上でハンドオーバが発生するが、協調端末は認識せず、このことはハンドオーバの主要性能評価指数（英語：Key Performance Indicator、略してKPI）には影響しない。
【手続補正８】
【補正対象書類名】明細書
【補正対象項目名】０１４３
【補正方法】変更
【補正の内容】
【０１４３】
ステップ604：マクロ基地局は、第1の協調活性化リクエストを、第1のセルを管理するスモールセルに送信する。
【手続補正９】
【補正対象書類名】明細書
【補正対象項目名】０１６４
【補正方法】変更
【補正の内容】
【０１６４】
協調端末が協調ステートを維持できないとき、マクロ基地局は、スモールセルおよび協調端末に非活性化リクエストを別々に送信し、非活性化リクエストは、スモールセルおよび協調端末に協調スケジューリングを停止するよう指示するために使用される。非活性化リクエストを受信した後、協調端末およびスモールセルは、それぞれの協調スケジューリング機能をディセーブルし、協調スケジューリングを停止する。協調端末に送信された非活性化リクエストは、第1のセルのPCIを含んでおり、スモールセルに送信された非活性化リクエストは、協調端末の端末識別子を含んでいる。非活性化通知を受信した後、協調端末は、協調端末の協調スケジューリング機能をディセーブルし得、協調スケジューリングを停止し得る。本発明のこの実施形態では、協調端末は、協調スケジューリング機能を実行するように構成された、協調スケジューリングモジュールを備え得る。非活性化通知を受信した後、協調スケジューリングモジュールは、協調スケジューリング機能を無効にするためにディセーブルされる。この場合、同じように、協調端末上でハンドオーバが発生するが、協調端末は認識せず、このことはKPIには影響しない。
【手続補正１０】
【補正対象書類名】明細書
【補正対象項目名】０１７６
【補正方法】変更
【補正の内容】
【０１７６】
ステップ701において、スモールセルは、第1のセルが活性化された後、第1のセルのセル設定パラメータをマクロ基地局に報告しており、セル設定パラメータは、第1のセルのPCIを含んでおり、ステップ702において、第1のセルが協調スケジューリングを行うことができると判定される。したがって、マクロ基地局は、予め記憶されたセル設定パラメータから第1のセルのPCIを取得し、PCIを伝える第2の協調活性化リクエストを生成し、第2の協調活性化リクエストを協調端末に送信する。
【手続補正１１】
【補正対象書類名】明細書
【補正対象項目名】０１７７
【補正方法】変更
【補正の内容】
【０１７７】
実際の適用では、第2の協調活性化リクエストは、送信のための無線リソース制御（英語：Radio Resource Control、略してRRC）メッセージ内で伝えられ得る。
【手続補正１２】
【補正対象書類名】明細書
【補正対象項目名】０１９６
【補正方法】変更
【補正の内容】
【０１９６】
第2の非活性化通知を受信した後、協調端末は、協調端末の協調スケジューリング機能をディセーブルし得、協調スケジューリングを停止し得る。本発明のこの実施形態では、協調端末は、協調スケジューリング機能を実行するように構成された、協調スケジューリングモジュールを備え得る。非活性化通知を受信した後、協調スケジューリングモジュールは、協調スケジューリング機能を無効にするためにディセーブルされる。この場合、同じように、協調端末上でハンドオーバが発生するが、協調端末は認識せず、このことはKPIには影響しない。
【手続補正１３】
【補正対象書類名】明細書
【補正対象項目名】０２１１
【補正方法】変更
【補正の内容】
【０２１１】
随意に、アップリンクデータメッセージは、調整端末によって測定されたチャネルパラメータを含み、図8−6に示すように、装置80は、
マクロ基地局によって送信された第1の協調活性化リクエストを受信するように構成された、第1の受信ユニット801であって、第1の協調活性化リクエストは、スモールセルによって管理される第1のセルに、マクロ基地局と共に、協調端末を物理ダウンリンク制御チャネル（PDCCH）上に協調スケジューリングするように指示するために使用される、第1の受信ユニット801と、
マクロ基地局によって送信された第2の協調活性化リクエストに従って協調端末が第1のセルのPDCCH上で制御メッセージを受信するように、第1の協調活性化リクエストに従って、第1のセルのPDCCH上で制御メッセージを送信するように構成された、第1の送信ユニット802であって、第2の協調活性化リクエストは、協調端末に、PDCCH上で、第1のセルとマクロ基地局とによって行われた協調スケジューリングを受け入れるように指示するために使用され、第2の協調活性化リクエストは、第1のセルの物理セル識別子（PCI）を含む、第1の送信ユニット802と、
第1の協調活性化リクエストに従って、第1のセルのPUSCH上で、協調端末によって送信されたアップリンクデータメッセージを受信するように構成された、第2の受信ユニット804であって、アップリンクデータメッセージは、制御メッセージに従って協調端末によって送信される、第2の受信ユニット804と、
チャネルパラメータに従って、協調端末が協調ステートを維持することができるかどうか、を判定するように構成された、判定ユニット807と、
協調端末が協調ステートを維持することができないとき、第1の非活性化通知をマクロ基地局に送信するように構成された、第3の送信ユニット808であって、第1の非活性化通知は、マクロ基地局に、協調スケジューリングを停止するように指示するために使用される、第3の送信ユニット808と、
第2の非活性化通知を協調端末に送信するように構成された、第4の送信ユニット809であって、第2の非活性化通知は、協調端末に、協調スケジューリングを停止するように指示するために使用される、第4の送信ユニット809と
を備え得る。
【手続補正１４】
【補正対象書類名】明細書
【補正対象項目名】０２３６
【補正方法】変更
【補正の内容】
【０２３６】
トランスミッタ021は、第2の非活性化通知を協調端末に送信するようにさらに構成され、第2の非活性化通知は、協調端末に協調スケジューリングを停止するよう指示するために使用される。
【手続補正１５】
【補正対象書類名】明細書
【補正対象項目名】０２４７
【補正方法】変更
【補正の内容】
【０２４７】
プロセッサ043は、協調ステートに入ることができる端末があると判定するとき、協調スケジューリングを行う必要がある第1のセルを決定するように構成される。
【手続補正１６】
【補正対象書類名】明細書
【補正対象項目名】０２５０
【補正方法】変更
【補正の内容】
【０２５０】
随意に、プロセッサ043は、
協調スケジューリングが行われる必要があるとき、第1の協調活性化リクエストを生成するようにさらに構成され、第1の協調活性化リクエストは、第1のセルに、マクロ基地局と共に、協調端末をPDCCHおよび物理ダウンリンク共有チャネル（PDSCH）上に協調スケジューリングするように指示するために使用されるか、または第1の協調活性化リクエストは、第1のセルに、マクロ基地局と共に、協調端末をPDCCHおよび物理アップリンク共有チャネル（PUSCH）上に協調スケジューリングするように指示するために使用されるか、または第1の協調活性化リクエストは、第1のセルに、マクロ基地局と共に、協調端末をPDCCH、PDSCH、およびPUSCH上に協調スケジューリングするように指示するために使用される。
【手続補正１７】
【補正対象書類名】明細書
【補正対象項目名】０２５２
【補正方法】変更
【補正の内容】
【０２５２】
第4の態様では、本発明は、マクロ基地局と、スモールセルと、端末とを備える、協調スケジューリングシステムを提供する。
【手続補正１８】
【補正対象書類名】特許請求の範囲
【補正対象項目名】全文
【補正方法】変更
【補正の内容】
【特許請求の範囲】
【請求項１】
協調スケジューリング方法であって、前記方法は、スモールセルに適用され、
マクロ基地局によって送信された第1の協調活性化リクエストを受信するステップであって、前記第1の協調活性化リクエストは、前記スモールセルによって管理される第1のセルに、前記マクロ基地局と共に、協調端末を物理ダウンリンク制御チャネル（PDCCH）上に協調スケジューリングするように指示するために使用され、前記協調端末は、前記マクロ基地局または前記スモールセルによって決定され、協調スケジューリングされることが可能な端末である、ステップと、
前記マクロ基地局によって送信された第2の協調活性化リクエストに従って前記協調端末が前記第1のセルのPDCCH上で制御メッセージを受信するように、前記第1の協調活性化リクエストに従って、前記第1のセルの前記PDCCH上で前記制御メッセージを送信するステップであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルの物理セル識別子（PCI）を含む、ステップと
を含む、方法。
【請求項２】
前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCH、PDSCH、および物理アップリンク共有チャネル（PUSCH）上に協調スケジューリングするように指示するために使用され、前記制御メッセージは、前記第1のセルに、前記マクロ基地局と共に、前記協調端末を前記PDSCH上に協調スケジューリングするように指示するために使用され、
マクロ基地局によって送信された第1の協調活性化リクエストを受信する前記ステップの後に、前記方法は、
前記制御メッセージに従って前記協調端末が前記第1のセルのPDSCH上でダウンリンクデータメッセージを受信するように、前記第1の協調活性化リクエストに従って、前記第1のセルの前記PDSCH上で前記協調端末に前記ダウンリンクデータメッセージを送信するステップ
をさらに含む、請求項1に記載の方法。
【請求項３】
前記第1の協調活性化リクエストは、前記第1のセルに、前記マクロ基地局と共に、前記協調端末を前記PDCCHおよびPUSCH上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用され、前記制御メッセージは、前記第1のセルに、前記マクロ基地局と共に、前記協調端末を前記PUSCH上に協調スケジューリングするように指示するために使用され、
前記第1のセルの前記PDCCH上で前記制御メッセージを送信する前記ステップの後に、前記方法は、
前記第1の協調活性化リクエストに従って、前記第1のセルのPUSCH上で、前記協調端末によって送信されたアップリンクデータメッセージを受信するステップであって、前記アップリンクデータメッセージは、前記制御メッセージに従って前記協調端末によって送信される、ステップ
をさらに含む、請求項1に記載の方法。
【請求項４】
マクロ基地局によって送信された第1の協調活性化リクエストを受信する前記ステップの前に、前記方法は、
前記第1のセルが活性化された後、セル設定パラメータを前記マクロ基地局に報告するステップであって、前記セル設定パラメータは、前記物理セル識別子（PCI）を含む、ステップ
をさらに含む、請求項1から3のいずれか一項に記載の方法。
【請求項５】
前記第1の協調活性化リクエストは、前記協調端末の識別子を含み、前記第1の協調活性化リクエストに従って、前記第1のセルの前記PDCCH上で前記制御メッセージを送信する前記ステップの前に、前記方法は、
前記第1の協調活性化リクエストに従って、前記制御メッセージを生成するステップであって、前記制御メッセージは、前記協調端末の前記識別子を含む、ステップ
をさらに含む、請求項1に記載の方法。
【請求項６】
前記アップリンクデータメッセージは、前記協調端末によって測定されたチャネルパラメータを含み、前記第1の協調活性化リクエストに従って、前記第1のセルの前記PDCCH上で前記制御メッセージを送信する前記ステップの後に、前記方法は、
前記チャネルパラメータに従って、前記協調端末が協調ステートを維持することができるかどうかを判定するステップと、
前記協調端末が前記協調ステートを維持することができないとき、第1の非活性化通知を前記マクロ基地局に送信するステップであって、前記第1の非活性化通知は、前記マクロ基地局に、協調スケジューリングを停止するように指示するために使用される、ステップと、
第2の非活性化通知を前記協調端末に送信するステップであって、前記第2の非活性化通知は、前記協調端末に、協調スケジューリングを停止するように指示するために使用される、ステップと
をさらに含む、請求項3に記載の方法。
【請求項７】
前記第1の協調活性化リクエストは、合意された送信時間間隔（TTI）識別子を含み、
前記第1の協調活性化リクエストに従って、前記第1のセルの前記PDCCH上で前記制御メッセージを送信する前記ステップは、
前記合意されたTTI識別子によって示されたTTIにおいて、前記第1のセルの前記PDCCH上で前記制御メッセージを送信するステップ
を含む、請求項1から6のいずれか一項に記載の方法。
【請求項８】
協調スケジューリング方法であって、前記方法は、協調端末に適用され、前記協調端末は、マクロ基地局またはスモールセルによって決定され、協調スケジューリングされることが可能な端末であり、前記方法は、
前記マクロ基地局によって送信された第2の協調活性化リクエストを受信するステップであって、前記第2の協調活性化リクエストは、前記協調端末に、PDCCH上で、第1のセルと前記マクロ基地局とによって行われた協調スケジューリングを受け入れるように指示するために使用され、前記第1のセルは、協調スケジューリングを行う必要があり、協調ステートに入ることができる端末があると前記マクロ基地局が判定するときに決定されるセルであり、前記第2の協調活性化リクエストは、前記第1のセルのPCIを含む、ステップと、
前記第2の協調活性化リクエストに従って、前記第1のセルのPDCCH上で、前記第1のセルを管理するスモールセルによって送信された制御メッセージを受信するステップと
を含む、方法。
【請求項９】
前記第2の協調活性化リクエストに従って、前記第1のセルのPDCCH上で、前記第1のセルを管理するスモールセルによって送信された制御メッセージを受信する前記ステップは、
前記PCIに従って、前記スモールセルの送信周波数チャネル番号、前記第1のセルのセル帯域幅、および前記第1のセルのPDCCHシンボル数を取得するステップと、
前記送信周波数チャネル番号、前記セル帯域幅、および前記PDCCHシンボル数に従って、前記第1のセルのPDCCHロケーションを決定するステップと、
前記第1のセルの前記PDCCHロケーションにおいて、前記第1のセルを管理する前記スモールセルによって送信された前記制御メッセージを受信するステップと
を含む、請求項8に記載の方法。
【請求項１０】
前記PCIに従って、前記スモールセルの送信周波数チャネル番号、前記第1のセルのセル帯域幅、および前記第1のセルのPDCCHシンボル数を取得する前記ステップは、
予め設定された送信周波数チャネル番号を取得するステップと、
前記第1のセルの前記セル帯域幅として、前記PCIに対応するセルの測定されたセル帯域幅を使用するステップと、
前記第1のセルの前記PDCCHシンボル数として、前記PCIに対応する前記セルのものであり、前記PCIに対応する前記セルの物理制御フォーマット指示チャネル（PCFICH）上で測定された、PDCCHシンボル数を使用するステップと
を含む、請求項9に記載の方法。
【請求項１１】
前記第2の協調活性化リクエストは、合意された送信時間間隔（TTI）識別子を含み、
前記第2の協調活性化リクエストに従って、前記第1のセルのPDCCH上で、前記第1のセルを管理するスモールセルによって送信された制御メッセージを受信する前記ステップは、
前記合意されたTTI識別子によって示されたTTIにおいて、前記第1のセルの前記PDCCH上で、前記第1のセルを管理する前記スモールセルによって送信された前記制御メッセージを受信するステップ
を含む、請求項8から10のいずれか一項に記載の方法。
【請求項１２】
協調スケジューリング方法であって、前記方法は、マクロ基地局に適用され、
協調ステートに入ることができる端末があると判定されるとき、協調スケジューリングを行う必要がある第1のセルを決定するステップと、
第1の協調活性化リクエストに従ってスモールセルが前記第1のセルのPDCCH上で制御メッセージを送信するように、前記第1のセルを管理する前記スモールセルに前記第1の協調活性化リクエストを送信するステップであって、前記第1の協調活性化リクエストは、前記スモールセルによって管理される前記第1のセルに、前記マクロ基地局と共に、協調端末をPDCCH上に協調スケジューリングするように指示するために使用され、前記協調端末は、前記マクロ基地局または前記スモールセルによって決定され、協調スケジューリングされることが可能な端末である、ステップと、
第2の協調活性化リクエストに従って協調端末が前記第1のセルの前記PDCCH上で前記制御メッセージを受信するように、前記第2の協調活性化リクエストを、協調スケジューリングされる必要がある前記協調端末に送信するステップであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルのPCIを含む、ステップと
を含む、方法。
【請求項１３】
前記第1のセルを管理する前記スモールセルに前記第1の協調活性化リクエストを送信する前記ステップの前に、前記方法は、
協調スケジューリングが行われる必要があるとき、前記第1の協調活性化リクエストを生成するステップであって、前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCHおよび物理アップリンク共有チャネル（PUSCH）上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用される、ステップ
をさらに含む、請求項12に記載の方法。
【請求項１４】
前記第1の協調活性化リクエストは、合意された送信時間間隔（TTI）識別子を含み、前記第2の協調活性化リクエストは、前記合意された送信時間間隔（TTI）識別子を含む、請求項12または13に記載の方法。
【請求項１５】
協調スケジューリング装置であって、前記装置は、スモールセルに適用され、
マクロ基地局によって送信された第1の協調活性化リクエストを受信するように構成された、第1の受信ユニットであって、前記第1の協調活性化リクエストは、前記スモールセルによって管理される第1のセルに、前記マクロ基地局と共に、協調端末を物理ダウンリンク制御チャネル（PDCCH）上に協調スケジューリングするように指示するために使用され、前記協調端末は、前記マクロ基地局または前記スモールセルによって決定され、協調スケジューリングされることが可能な端末である、第1の受信ユニットと、
前記マクロ基地局によって送信された第2の協調活性化リクエストに従って前記協調端末が前記第1のセルのPDCCH上で制御メッセージを受信するように、前記第1の協調活性化リクエストに従って、前記第1のセルの前記PDCCH上で前記制御メッセージを送信するように構成された、第1の送信ユニットであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルの物理セル識別子（PCI）を含む、第1の送信ユニットと
を備える、装置。
【請求項１６】
前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCH、PDSCH、および物理アップリンク共有チャネル（PUSCH）上に協調スケジューリングするように指示するために使用され、前記制御メッセージは、前記第1のセルに、前記マクロ基地局と共に、前記協調端末を前記PDSCH上に協調スケジューリングするように指示するために使用され、前記装置は、
前記制御メッセージに従って前記協調端末が前記第1のセルのPDSCH上でダウンリンクデータメッセージを受信するように、前記第1の協調活性化リクエストに従って、前記第1のセルの前記PDSCH上で前記協調端末に前記ダウンリンクデータメッセージを送信するように構成された、第2の送信ユニット
をさらに備える、請求項15に記載の装置。
【請求項１７】
前記第1の協調活性化リクエストは、前記第1のセルに、前記マクロ基地局と共に、前記協調端末を前記PDCCHおよびPUSCH上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用され、前記制御メッセージは、前記第1のセルに、前記マクロ基地局と共に、前記協調端末を前記PUSCH上に協調スケジューリングするように指示するために使用され、前記装置は、
前記第1の協調活性化リクエストに従って、前記第1のセルのPUSCH上で、前記協調端末によって送信されたアップリンクデータメッセージを受信するように構成された、第2の受信ユニットであって、前記アップリンクデータメッセージは、前記制御メッセージに従って前記協調端末によって送信される、第2の受信ユニット
をさらに備える、請求項15に記載の装置。
【請求項１８】
前記装置は、
前記第1のセルが活性化された後、セル設定パラメータを前記マクロ基地局に報告するように構成された、報告ユニットであって、前記セル設定パラメータは、前記物理セル識別子（PCI）を含む、報告ユニット
をさらに備える、請求項15から17のいずれか一項に記載の装置。
【請求項１９】
前記第1の協調活性化リクエストは、前記協調端末の識別子を含み、前記装置は、
前記第1の協調活性化リクエストに従って、前記制御メッセージを生成するように構成された、生成ユニットであって、前記制御メッセージは、前記協調端末の前記識別子を含む、生成ユニット
をさらに備える、請求項15に記載の装置。
【請求項２０】
前記アップリンクデータメッセージは、前記協調端末によって測定されたチャネルパラメータを含み、前記装置は、
前記チャネルパラメータに従って、前記協調端末が協調ステートを維持することができるかどうかを判定するように構成された、判定ユニットと、
前記協調端末が前記協調ステートを維持することができないとき、第1の非活性化通知を前記マクロ基地局に送信するように構成された、第3の送信ユニットであって、前記第1の非活性化通知は、前記マクロ基地局に、協調スケジューリングを停止するように指示するために使用される、第3の送信ユニットと、
第2の非活性化通知を前記協調端末に送信するように構成された、第4の送信ユニットであって、前記第2の非活性化通知は、前記協調端末に、協調スケジューリングを停止するように指示するために使用される、第4の送信ユニットと
をさらに備える、請求項17に記載の装置。
【請求項２１】
前記第1の協調活性化リクエストは、合意された送信時間間隔（TTI）識別子を含み、前記第1の送信ユニットは、
前記合意されたTTI識別子によって示されたTTIにおいて、前記第1のセルの前記PDCCH上で前記制御メッセージを送信する
ように構成される、請求項15から20のいずれか一項に記載の装置。
【請求項２２】
協調スケジューリング装置であって、前記装置は、協調端末に適用され、前記協調端末は、マクロ基地局またはスモールセルによって決定され、協調スケジューリングされることが可能な端末であり、前記装置は、
前記マクロ基地局によって送信された第2の協調活性化リクエストを受信するように構成された、第1の受信ユニットであって、前記第2の協調活性化リクエストは、前記協調端末に、PDCCH上で、第1のセルと前記マクロ基地局とによって行われた協調スケジューリングを受け入れるように指示するために使用され、前記第1のセルは、協調スケジューリングを行う必要があり、協調ステートに入ることができる端末があると前記マクロ基地局が判定するときに決定されるセルであり、前記第2の協調活性化リクエストは、前記第1のセルのPCIを含む、第1の受信ユニットと、
前記第2の協調活性化リクエストに従って、前記第1のセルのPDCCH上で、前記第1のセルを管理するスモールセルによって送信された制御メッセージを受信するように構成された、第2の受信ユニットと
を備える、装置。
【請求項２３】
前記第2の受信ユニットは、
前記PCIに従って、前記スモールセルの送信周波数チャネル番号、前記第1のセルのセル帯域幅、および前記第1のセルのPDCCHシンボル数を取得するように構成された、取得サブユニットと、
前記送信周波数チャネル番号、前記セル帯域幅、および前記PDCCHシンボル数に従って、前記第1のセルのPDCCHロケーションを決定するように構成された、決定サブユニットと、
前記第1のセルの前記PDCCHロケーションにおいて、前記第1のセルを管理する前記スモールセルによって送信された前記制御メッセージを受信するように構成された、受信サブユニットと
を備える、請求項22に記載の装置。
【請求項２４】
前記取得サブユニットは、
予め設定された送信周波数チャネル番号を取得し、
前記第1のセルの前記セル帯域幅として、前記PCIに対応するセルの測定されたセル帯域幅を使用し、
前記第1のセルの前記PDCCHシンボル数として、前記PCIに対応する前記セルのものであり、前記PCIに対応する前記セルの物理制御フォーマット指示チャネル（PCFICH）上で測定された、PDCCHシンボル数を使用する
ように構成される、請求項23に記載の装置。
【請求項２５】
前記第2の協調活性化リクエストは、合意された送信時間間隔（TTI）識別子を含み、前記第2の受信ユニットは、
前記合意されたTTI識別子によって示されたTTIにおいて、前記第1のセルの前記PDCCH上で、前記第1のセルを管理する前記スモールセルによって送信された前記制御メッセージを受信する
ように構成される、請求項22から24のいずれか一項に記載の装置。
【請求項２６】
協調スケジューリング装置であって、前記装置は、マクロ基地局に適用され、
協調ステートに入ることができる端末があると判定するとき、協調スケジューリングを行う必要がある第1のセルを決定するように構成された、決定ユニットと、
第1の協調活性化リクエストに従ってスモールセルが前記第1のセルのPDCCH上で制御メッセージを送信するように、前記第1のセルを管理する前記スモールセルに前記第1の協調活性化リクエストを送信するように構成された、第1の送信ユニットであって、前記第1の協調活性化リクエストは、前記スモールセルによって管理される前記第1のセルに、前記マクロ基地局と共に、協調端末をPDCCH上に協調スケジューリングするように指示するために使用され、前記協調端末は、前記マクロ基地局または前記スモールセルによって決定され、協調スケジューリングされることが可能な端末である、第1の送信ユニットと、
第2の協調活性化リクエストに従って協調端末が前記第1のセルの前記PDCCH上で前記制御メッセージを受信するように、前記第2の協調活性化リクエストを、協調スケジューリングされる必要がある前記協調端末に送信するように構成された、第2の送信ユニットであって、前記第2の協調活性化リクエストは、前記協調端末に、前記PDCCH上で、前記第1のセルと前記マクロ基地局とによって行われた協調スケジューリングを受け入れるように指示するために使用され、前記第2の協調活性化リクエストは、前記第1のセルのPCIを含む、第2の送信ユニットと
を備える、装置。
【請求項２７】
前記装置は、
協調スケジューリングが行われる必要があるとき、前記第1の協調活性化リクエストを生成するように構成された、生成ユニットであって、前記第1の協調活性化リクエストは、前記第1のセルに、前記マクロ基地局と共に、前記協調端末を前記PDCCHおよび物理ダウンリンク共有チャネル（PDSCH）上に協調スケジューリングするように指示するために使用されるか、または前記第1の協調活性化リクエストは、前記第1のセルに、前記マクロ基地局と共に、前記協調端末を前記PDCCHおよび物理アップリンク共有チャネル（PUSCH）上に協調スケジューリングするように指示するために使用されるか、または前記第1の協調活性化リクエストは、前記第1のセルに、前記マクロ基地局と共に、前記協調端末を前記PDCCH、PDSCH、およびPUSCH上に協調スケジューリングするように指示するために使用される、生成ユニット
をさらに備える、請求項26に記載の装置。
【請求項２８】
前記第1の協調活性化リクエストは、合意された送信時間間隔（TTI）識別子を含み、前記第2の協調活性化リクエストは、前記合意された送信時間間隔（TTI）識別子を含む、請求項26または27に記載の装置。
【請求項２９】
協調スケジューリングシステムであって、
マクロ基地局と、スモールセルと、協調端末とを備え、
前記スモールセルは、請求項15から21のいずれか一項に記載の協調スケジューリング装置を含み、
前記協調端末は、請求項22から25のいずれか一項に記載の協調スケジューリング装置を含み、
前記マクロ基地局は、請求項26から28のいずれか一項に記載の協調スケジューリング装置を含む、
システム。
【国際調査報告】
2018532346.tif 000028
2018532346.tif 000029
2018532346.tif 000030
2018532346.tif 000031